(57)【要約】  本技術は、通信品質の低減を抑制することができるようにする送信装置および方法、並びに、受信装置および方法に関する。GNSS信号または発振器の発振周波数に基づいて、送信信号の送信を制御するための情報を設定し、その設定された情報に基づいて、送信信号の送信制御を行い、その送信制御に従って送信信号を送信する。または、GNSS信号または発振器の発振周波数に基づいて、送信側から送信された信号の受信を制御するための情報を設定し、その設定された情報に基づいて、信号の受信制御を行い、その受信制御に従って信号を受信する。本開示は、例えば、送信装置、受信装置、送受信装置、通信装置、情報処理装置、電子機器、コンピュータ、プログラム、記憶媒体、システム等に適用することができる。
2018173795.tif 000002
【特許請求の範囲】
【請求項１】
GNSS信号または発振器の発振周波数に基づいて、送信信号の送信を制御するための情報を設定する設定部と、
前記設定部により設定された前記情報に基づいて、前記送信信号の送信を制御する送信制御部と、
前記送信制御部の制御に従って前記送信信号を送信する送信部と
を備える送信装置。
【請求項２】
前記設定部は、前記GNSS信号の受信状況に応じて前記GNSS信号または前記発振周波数を選択し、選択した方を用いて前記情報を設定する
請求項１に記載の送信装置。
【請求項３】
前記設定部は、
受信された前記GNSS信号が所定の基準値より高品質である場合、前記GNSS信号を用いて前記情報を設定し、
受信された前記GNSS信号が前記基準値より低品質である場合、前記発振周波数を用いて前記情報を設定する
請求項２に記載の送信装置。
【請求項４】
前記情報は、時刻情報を含み、
前記設定部は、
受信された前記GNSS信号が所定の基準値より高品質である場合、前記GNSS信号から得られる時刻を前記時刻情報として設定し、
受信された前記GNSS信号が前記基準値より低品質である場合、前記発振周波数に同期したタイミングでカウントして得られる時刻を前記時刻情報として設定するように構成される
請求項３に記載の送信装置。
【請求項５】
前記送信制御部は、前記送信部を制御して、前記設定部により設定された前記時刻情報に基づいて、前記送信信号を予め定められた受信側に既知の送信タイミングに送信させる
請求項４に記載の送信装置。
【請求項６】
前記設定部は、受信された前記GNSS信号が所定の基準値より高品質である場合、前記GNSS信号から得られる時刻を用いて、前記発振周波数に同期したタイミングでカウントして得られる前記時刻を補正する
請求項４に記載の送信装置。
【請求項７】
前記情報は、送信制御用周波数を含み、
前記設定部は、
受信された前記GNSS信号が所定の基準値より高品質である場合、前記発振周波数を、今回受信した前記GNSS信号から得られる周波数を用いて補正し、補正後の前記発振周波数を前記送信制御用周波数として設定し、
受信された前記GNSS信号が前記基準値より低品質である場合、前記発振周波数を、前回の補正値で補正し、補正後の前記発振周波数を前記送信制御用周波数として設定するように構成される
請求項３に記載の送信装置。
【請求項８】
前記送信制御部は、前記送信部を制御して、前記設定部により設定された前記送信制御用周波数に基づく送信周波数で前記送信信号を送信させる
請求項７に記載の送信装置。
【請求項９】
前記GNSS信号を受信するGNSS受信部をさらに備え、
前記設定部は、前記GNSS受信部により受信された前記GNSS信号または前記発振周波数に基づいて前記情報を設定するように構成される
請求項１に記載の送信装置。
【請求項１０】
GNSS信号または発振器の発振周波数に基づいて、送信信号の送信を制御するための情報を設定し、
設定された前記情報に基づいて、前記送信信号の送信制御を行い、
前記送信制御に従って前記送信信号を送信する
送信方法。
【請求項１１】
GNSS信号または発振器の発振周波数に基づいて、送信側から送信された信号の受信を制御するための情報を設定する設定部と、
前記設定部により設定された前記情報に基づいて、前記信号の受信を制御する受信制御部と、
前記受信制御部の制御に従って前記信号を受信する受信部と
を備える受信装置。
【請求項１２】
前記設定部は、前記GNSS信号の受信状況に応じて前記GNSS信号または前記発振周波数を選択し、選択した方を用いて前記情報を設定する
請求項１１に記載の受信装置。
【請求項１３】
前記設定部は、
受信された前記GNSS信号が所定の基準値より高品質である場合、前記GNSS信号を用いて前記情報を設定し、
受信された前記GNSS信号が前記基準値より低品質である場合、前記発振周波数を用いて前記情報を設定する
請求項１２に記載の受信装置。
【請求項１４】
前記情報は、時刻情報を含み、
前記設定部は、
受信された前記GNSS信号が所定の基準値より高品質である場合、前記GNSS信号から得られる時刻を前記時刻情報として設定し、
受信された前記GNSS信号が前記基準値より低品質である場合、前記発振周波数に同期したタイミングでカウントして得られる時刻を前記時刻情報として設定するように構成される
請求項１３に記載の受信装置。
【請求項１５】
前記受信制御部は、前記受信部を制御して、前記設定部により設定された前記時刻情報に基づいて、前記信号を予め定められた送信側に既知の受信タイミングに受信させる
請求項１４に記載の受信装置。
【請求項１６】
前記設定部は、受信された前記GNSS信号が所定の基準値より高品質である場合、前記GNSS信号から得られる時刻を用いて、前記発振周波数に同期したタイミングでカウントして得られる前記時刻を補正する
請求項１４に記載の受信装置。
【請求項１７】
前記情報は、受信制御用周波数を含み、
前記設定部は、
受信された前記GNSS信号が所定の基準値より高品質である場合、前記発振周波数を、今回受信した前記GNSS信号から得られる周波数を用いて補正し、補正後の前記発振周波数を前記受信制御用周波数として設定し、
受信された前記GNSS信号が前記基準値より低品質である場合、前記発振周波数を、前回の補正値で補正し、補正後の前記発振周波数を前記受信制御用周波数として設定するように構成される
請求項１３に記載の受信装置。
【請求項１８】
前記受信制御部は、前記受信部を制御して、前記設定部により設定された前記受信制御用周波数に基づく受信周波数で前記信号を受信させる
請求項１７に記載の受信装置。
【請求項１９】
前記GNSS信号を受信するGNSS受信部をさらに備え、
前記設定部は、前記GNSS受信部により受信された前記GNSS信号または前記発振周波数に基づいて前記情報を設定するように構成される
請求項１１に記載の受信装置。
【請求項２０】
GNSS信号または発振器の発振周波数に基づいて、送信側から送信された信号の受信を制御するための情報を設定し、
設定された前記情報に基づいて、前記信号の受信制御を行い、
前記受信制御に従って前記信号を受信する
受信方法。
【発明の詳細な説明】
【技術分野】
【０００１】
本技術は、送信装置および方法、並びに、受信装置および方法に関し、特に、通信品質の低減を抑制することができるようにした送信装置および方法、並びに、受信装置および方法に関する。
【背景技術】
【０００２】
従来、信号の多重化方法として、周波数分割多重化（FDM（Frequency Division Multiplexing））、時分割多重化（TDM（Time Division Multiplexing））、スペクトル拡散等があった（例えば、特許文献１参照）。また、送信信号の変調方式として、位相変調信号をチャープ変調する方法が考えられた（例えば、特許文献２参照）。これらの方式によりより多くの信号を多重化するためには、より正確な周波数制御や時刻制御が求められる。そこで、GNSS信号を用いてそれらの制御を行うことが考えられた。
【先行技術文献】
【特許文献】
【０００３】
【特許文献１】特許第３２７０９０２号
【特許文献２】特開平０８−３０７３７５号公報
【発明の概要】
【発明が解決しようとする課題】
【０００４】
しかしながら、GNSS信号の受信は常に良好であるとは限らない。GNSS信号を受信できない場合はもちろん、受信したGNSS信号が低品質の場合も補間式が利用される等して、生成される時刻情報や周波数情報の誤差が増大し、通信品質が低減するおそれがあった。【０００５】
本開示は、このような状況に鑑みてなされたものであり、通信品質の低減を抑制することができるようにするものである。
【課題を解決するための手段】
【０００６】
本技術の一側面の送信装置は、GNSS信号または発振器の発振周波数に基づいて、送信信号の送信を制御するための情報を設定する設定部と、前記設定部により設定された前記情報に基づいて、前記送信信号の送信を制御する送信制御部と、前記送信制御部の制御に従って前記送信信号を送信する送信部とを備える送信装置である。【０００７】
前記設定部は、前記GNSS信号の受信状況に応じて前記GNSS信号または前記発振周波数を選択し、選択した方を用いて前記情報を設定することができる。【０００８】
前記設定部は、受信された前記GNSS信号が所定の基準値より高品質である場合、前記GNSS信号を用いて前記情報を設定し、受信された前記GNSS信号が前記基準値より低品質である場合、前記発振周波数を用いて前記情報を設定することができる。【０００９】
前記情報は、時刻情報を含み、前記設定部は、受信された前記GNSS信号が所定の基準値より高品質である場合、前記GNSS信号から得られる時刻を前記時刻情報として設定し、受信された前記GNSS信号が前記基準値より低品質である場合、前記発振周波数に同期したタイミングでカウントして得られる時刻を前記時刻情報として設定するように構成されるようにすることができる。【００１０】
前記送信制御部は、前記送信部を制御して、前記設定部により設定された前記時刻情報に基づいて、前記送信信号を予め定められた受信側に既知の送信タイミングに送信させることができる。【００１１】
前記設定部は、受信された前記GNSS信号が所定の基準値より高品質である場合、前記GNSS信号から得られる時刻を用いて、前記発振周波数に同期したタイミングでカウントして得られる前記時刻を補正することができる。【００１２】
前記情報は、送信制御用周波数を含み、前記設定部は、受信された前記GNSS信号が所定の基準値より高品質である場合、前記発振周波数を、今回受信した前記GNSS信号から得られる周波数を用いて補正し、補正後の前記発振周波数を前記送信制御用周波数として設定し、受信された前記GNSS信号が前記基準値より低品質である場合、前記発振周波数を、前回の補正値で補正し、補正後の前記発振周波数を前記送信制御用周波数として設定するように構成されるようにすることができる。【００１３】
前記送信制御部は、前記送信部を制御して、前記設定部により設定された前記送信制御用周波数に基づく送信周波数で前記送信信号を送信させることができる。【００１４】
前記GNSS信号を受信するGNSS受信部をさらに備え、前記設定部は、前記GNSS受信部により受信された前記GNSS信号または前記発振周波数に基づいて前記情報を設定するように構成されるようにすることができる。【００１５】
本技術の一側面の送信方法は、GNSS信号または発振器の発振周波数に基づいて、送信信号の送信を制御するための情報を設定し、設定された前記情報に基づいて、前記送信信号の送信制御を行い、前記送信制御に従って前記送信信号を送信する送信方法である。【００１６】
本技術の他の側面の受信装置は、GNSS信号または発振器の発振周波数に基づいて、送信側から送信された信号の受信を制御するための情報を設定する設定部と、前記設定部により設定された前記情報に基づいて、前記信号の受信を制御する受信制御部と、前記受信制御部の制御に従って前記信号を受信する受信部とを備える受信装置である。【００１７】
前記設定部は、前記GNSS信号の受信状況に応じて前記GNSS信号または前記発振周波数を選択し、選択した方を用いて前記情報を設定することができる。【００１８】
前記設定部は、受信された前記GNSS信号が所定の基準値より高品質である場合、前記GNSS信号を用いて前記情報を設定し、受信された前記GNSS信号が前記基準値より低品質である場合、前記発振周波数を用いて前記情報を設定することができる。【００１９】
前記情報は、時刻情報を含み、前記設定部は、受信された前記GNSS信号が所定の基準値より高品質である場合、前記GNSS信号から得られる時刻を前記時刻情報として設定し、受信された前記GNSS信号が前記基準値より低品質である場合、前記発振周波数に同期したタイミングでカウントして得られる時刻を前記時刻情報として設定するように構成されるようにすることができる。【００２０】
前記受信制御部は、前記受信部を制御して、前記設定部により設定された前記時刻情報に基づいて、前記信号を予め定められた送信側に既知の受信タイミングに受信させることができる。【００２１】
前記設定部は、受信された前記GNSS信号が所定の基準値より高品質である場合、前記GNSS信号から得られる時刻を用いて、前記発振周波数に同期したタイミングでカウントして得られる前記時刻を補正することができる。【００２２】
前記情報は、受信制御用周波数を含み、前記設定部は、受信された前記GNSS信号が所定の基準値より高品質である場合、前記発振周波数を、今回受信した前記GNSS信号から得られる周波数を用いて補正し、補正後の前記発振周波数を前記受信制御用周波数として設定し、受信された前記GNSS信号が前記基準値より低品質である場合、前記発振周波数を、前回の補正値で補正し、補正後の前記発振周波数を前記受信制御用周波数として設定するように構成されるようにすることができる。【００２３】
前記受信制御部は、前記受信部を制御して、前記設定部により設定された前記受信制御用周波数に基づく受信周波数で前記信号を受信させることができる。【００２４】
前記GNSS信号を受信するGNSS受信部をさらに備え、前記設定部は、前記GNSS受信部により受信された前記GNSS信号または前記発振周波数に基づいて前記情報を設定するように構成されるようにすることができる。【００２５】
本技術の他の側面の受信方法は、GNSS信号または発振器の発振周波数に基づいて、送信側から送信された信号の受信を制御するための情報を設定し、設定された前記情報に基づいて、前記信号の受信制御を行い、前記受信制御に従って前記信号を受信する受信方法である。【００２６】
本技術の一側面の送信装置および方法においては、GNSS信号または発振器の発振周波数に基づいて、送信信号の送信を制御するための情報が設定され、その設定された情報に基づいて、送信信号の送信制御が行われ、その送信制御に従って送信信号が送信される。【００２７】
本技術の他の側面の受信装置および方法においては、GNSS信号または発振器の発振周波数に基づいて、送信側から送信された信号の受信を制御するための情報が設定され、その設定された情報に基づいて、信号の受信制御が行われ、その受信制御に従って信号が受信される。
【発明の効果】
【００２８】
本技術によれば、信号を送信または受信することが出来る。また本技術によれば、通信品質の低減を抑制することができる。
【図面の簡単な説明】
【００２９】
【図１】位置通知システムの主な構成例を示す図である。
【図２】信号送受信の様子の例を示す図である。
【図３】GNSS信号を用いた時刻情報算出の様子の例を説明する図である。
【図４】送信装置の主な構成例を示すブロック図である。
【図５】送信処理の流れの例を説明するフローチャートである。
【図６】高感度受信装置の主な構成例を示すブロック図である。
【図７】受信処理の流れの例を説明するフローチャートである。
【図８】GNSS信号を用いた周波数情報算出の様子の例を説明する図である。
【図９】送信装置の主な構成例を示すブロック図である。
【図１０】送信処理の流れの例を説明するフローチャートである。
【図１１】高感度受信装置の主な構成例を示すブロック図である。
【図１２】受信処理の流れの例を説明するフローチャートである。
【図１３】盗難防止システムの主な構成例を示す図である。
【図１４】コンピュータの主な構成例を示すブロック図である。
【発明を実施するための形態】
【００３０】
以下、本開示を実施するための形態（以下実施の形態とする）について説明する。なお、説明は以下の順序で行う。
１．GNSS信号に基づく送受信制御
２．第１の実施の形態（送信装置・時刻制御）
３．第２の実施の形態（高感度受信装置・時刻制御）
４．第３の実施の形態（送信装置・周波数制御）
５．第４の実施の形態（高感度受信装置・周波数制御）
６．その他
【００３１】
＜１．GNSS信号に基づく送受信制御＞
＜位置通知システム＞
図１は、本技術を適用した信号送受信システムの一実施の形態である位置通知システムの主な構成例を示す図である。図１に示される位置通知システム１００は、送信装置１０１が自身の位置を通知するシステムである。このシステムは、例えば、対象の位置の監視や管理に利用される。図１に示されるように位置通知システム１００は、送信装置１０１、高感度受信装置１０２、サーバ１０４、端末装置１０５等のデバイスを有する。送信装置１０１、高感度受信装置１０２、サーバ１０４、および端末装置１０５の数は任意であり、それぞれ、複数であってもよい。
【００３２】
送信装置１０１は、本技術を適用した送信装置の一実施の形態であり、例えば自身を識別する識別情報や自身の位置を示す位置情報等を、無線信号として送信する。高感度受信装置１０２は、本技術を適用した受信装置の一実施の形態であり、その無線信号を受信して送信装置１０１の識別情報や位置情報等を取得し、それらを、ネットワーク１０３を介してサーバ１０４に供給する。つまり、高感度受信装置１０２は、送信装置１０１から送信された情報を中継してサーバ１０４に伝送する中継局として機能する。サーバ１０４は、識別情報に位置情報を紐づけして管理することにより、各送信装置１０１の位置を管理する。送信装置１０１の位置を知りたいユーザに操作される端末装置１０５は、ネットワーク１０３を介してサーバ１０４にアクセスし、所望の送信装置１０１の識別情報を供給してその位置情報を要求する。サーバ１０４は、要求された識別情報に対応する位置情報を端末装置１０５に供給する。端末装置１０５は、その位置情報を取得し、例えば地図データ等とともに表示する等して、ユーザに送信装置１０１の位置を通知する。
【００３３】
このような送信装置１０１を、位置を監視（管理）したい対象により携帯（所持や装着等を含む）させることにより、サーバ１０４は、間接的にその位置監視（管理）対象の位置を管理することができる。図１の例では、ユーザが高齢者１１１を位置監視の対象としており、その高齢者１１１に送信装置１０１を携帯させている。上述のように、送信装置１０１の位置はサーバ１０４により管理され、端末装置１０５に提供される。したがって、ユーザは、端末装置１０５を操作して、その送信装置１０１を携帯している高齢者１１１の位置を把握することができる。
【００３４】
なお、位置監視の対象は、任意である。例えば、子供であってもよいし、犬や猫等の動物であってもよいし、企業の社員等であってもよい。送信装置１０１は、専用の装置として構成されるようにしてもよいが、例えば、携帯電話機やスマートフォンのような携帯型の情報処理装置に組み込むようにしてもよい。
【００３５】
送信装置１０１の位置情報は、送信装置１０１の位置を示すものであればどのような情報であってもよく、どのように生成されるようにしてもよい。例えば、送信装置１０１が、GNSS（Global Navigation Satellite System）衛星からGNSS信号を受信し、そのGNSS信号に基づいて自身の位置情報（例えば、緯度および経度）を求めるようにしてもよい。また、例えば、送信装置１０１がGNSS以外の専用の位置特定システムを用いて自身の位置を特定するようにしてもよい。さらに、この位置情報は、例えば高感度受信装置１０２、サーバ１０４、または別途設けられた専用の情報処理装置（サーバ等）等のような、送信装置１０１以外において生成されるようにしてもよい。
【００３６】
例えば、送信装置１０１が受信したGNSS信号を他の装置に供給し、他の装置がそのGNSS信号から送信装置１０１の位置情報を求めるようにしてもよい。また、例えば、送信装置１０１がGNSS以外の専用の位置特定システムを用いて得られた情報を他の装置に供給し、他の装置がその情報に基づいて送信装置１０１の位置情報を求めるようにしてもよい。また、例えば、他の装置が、送信装置１０１と高感度受信装置１０２との通信状況に基づいて送信装置１０１の位置情報を求めるようにしてもよい。例えば、送信装置１０１からの信号を受信した高感度受信装置１０２を特定することにより、送信装置１０１がその高感度受信装置１０２の通信可能範囲内に位置することを特定するようにしてもよい。さらに、その高感度受信装置１０２が受信した受信信号の信号強度や遅延時間等に基づいて、送信装置１０１のさらに詳細な位置情報を求めるようにしてもよい。また、例えば、送信装置１０１からの信号を受信した複数の高感度受信装置１０２の位置情報を用いて三角法等により送信装置１０１の位置情報を求めるようにしてもよい。
【００３７】
高感度受信装置１０２の設置位置は任意である。例えば、ビル、マンション、家屋等の建造物１１２の屋根や屋上等でもよい。建造物１１２は、送信装置１０１を携帯する位置監視対象（例えば高齢者１１１）が活動する可能性が高い都市部に数も多く、また、設置も容易であるので、好適である。特に、位置監視対象が人の場合、その位置監視対象の自宅は、その周辺に位置監視対象が位置する可能性がより高く、好適である。また、設置場所の確保という面についても、この位置通知サービス提供事業者が独自に場所を確保して高感度受信装置１０２を設置する場合よりも、同意を得やすく容易である。
【００３８】
なお、高感度受信装置１０２の設置場所は、この他にも例えば、自動車、バイク、自転車等の移動可能な物体（移動体とも称する）に設置するようにしてもよい。つまり、高感度受信装置１０２の位置が可変であってもよい。
【００３９】
ネットワーク１０３は、任意の通信網であり、有線通信の通信網であってもよいし、無線通信の通信網であってもよいし、それらの両方により構成されるようにしてもよい。また、ネットワーク１０３が、１の通信網により構成されるようにしてもよいし、複数の通信網により構成されるようにしてもよい。例えば、インターネット、公衆電話回線網、所謂3G回線や4G回線等の無線移動体用の広域通信網、WAN（Wide Area Network）、LAN（Local Area Network）、Bluetooth（登録商標）規格に準拠した通信を行う無線通信網、NFC（Near Field Communication）等の近距離無線通信の通信路、赤外線通信の通信路、HDMI（登録商標）（High-Definition Multimedia Interface）やUSB（Universal Serial Bus）等の規格に準拠した有線通信の通信網等、任意の通信規格の通信網や通信路がネットワーク１０３に含まれるようにしてもよい。
【００４０】
サーバ１０４や端末装置１０５は、情報を処理する情報処理装置である。サーバ１０４や端末装置１０５は、ネットワーク１０３に通信可能に接続されており、このネットワーク１０３を介してネットワーク１０３に接続される他の通信装置と通信を行い、情報を授受することができる。
【００４１】
サーバ１０４は、各送信装置１０１の位置を管理する。また、サーバ１０４は、送信装置１０１の位置情報の提供を許可するユーザも管理することができる。例えば、サーバ１０４は、各送信装置１０１の位置情報を、その送信装置１０１の位置情報の取得が許可されたユーザに対してのみ提供するようにすることができる。
【００４２】
上述のように、送信装置１０１から提供される情報が高感度受信装置１０２により中継されてサーバ１０４に供給されることにより、サーバ１０４は、送信装置１０１の位置を管理する。つまり、送信装置１０１が、いずれかの高感度受信装置１０２の通信可能範囲内に位置する状態において、サーバ１０４は、その送信装置１０１の位置を管理することができる。換言するに、送信装置１０１の位置が、いずれの高感度受信装置１０２の通信可能範囲からも外れると、サーバ１０４は、その位置を管理することができなくなる。したがって、高感度受信装置１０２の送信装置１０１との通信可能範囲網がより広範囲になる程、サーバ１０４は、送信装置１０１の位置をより正確に管理することができる。
【００４３】
ここで、より正確な管理とは、より広範囲において送信装置１０１の位置を管理する（つまり、送信装置１０１の位置の管理が不可能な領域を少なくする）ことを意味する。送信装置１０１の位置を管理可能な範囲をより広範囲とするためには、送信装置１０１と高感度受信装置１０２とがより遠くまで無線信号を送受信することができる程（各高感度受信装置１０２の通信可能範囲がより広い程）好ましい。送信装置１０１と高感度受信装置１０２との間の無線信号の送受信の方法は任意であり、どのような通信規格に準拠するようにしてもよいが、例えば、９２５MHzを含む周波数帯（９２０MHz帯とも称する）を用いて、長距離の通信が可能な方法で行われるようにしてもよい。
【００４４】
例えば、送信装置１０１が無線信号を送信する時刻や周波数が既知（高感度受信装置１０２が知っている）であれば、高感度受信装置１０２は、その既知の時刻および周波数において無線信号の検出を行えば良いので、検出がより容易になる。したがって、受信感度を向上させることができる。つまり、高感度受信装置１０２の通信可能範囲をより拡大させることができる。なお、このような時刻や周波数の制御の精度が低減すると検出がより困難になり、受信感度が低減するおそれがある。換言するに、時刻や周波数の制御精度を向上させることにより、受信感度を向上させることができる。
【００４５】
また、このような位置通知システム１００においては、図２に示されるように、１台の高感度受信装置１０２が複数の送信装置１０１（送信装置１０１−１乃至送信装置１０１−Ｎ）からの無線信号を受信する場合が考えられる。このような場合、高感度受信装置１０２が、各送信装置１０１からの無線信号を識別して受信することができるように、各無線信号を互いに混信しないように多重化する必要がある。従来の信号の多重化方法として、例えば特許文献１に記載のように、周波数分割多重化（FDM（Frequency Division Multiplexing））、時分割多重化（TDM（Time Division Multiplexing））、スペクトル拡散等があった。また、送信信号の変調方式として、例えば特許文献２に記載のように、位相変調信号をチャープ変調する方法が考えられた。
【００４６】
一般的には、通信可能範囲が拡大するほど、図２のような送信装置１０１の数（Ｎ）が増大するので、より多くの信号の多重化が求められる。ただし、通信品質を低減させないようにするためには、信号の多重化を各信号が混ざらないように行う必要がある。つまりより多くの信号を多重化するためには、信号同士が混ざらないように時刻や周波数の制御をより正確（より細かく）行わなければならない。換言するに、時刻や周波数の制御精度を向上させることにより、より多くの信号を多重化させることができる。
【００４７】
＜時刻制御＞
例えば、図１に示されるような位置通知システム１００において時分割多重化を行う場合、時刻制御に約１０μ秒程度の精度が求められるとする。しかしながら、送信装置１０１や高感度受信装置１０２に一般的に内蔵される発振器でこのような精度を実現することは困難であった。そこで、GNSS（Global Navigation Satellite System）信号を用いて時刻制御を行うことが考えられた。
【００４８】
GNSS（全地球航法衛星システム）は、複数の航法衛星が航法信号を地上の不特定多数に向けて電波送信し、それを受信する受信機を用いて自己の位置や進路を知るシステムである。GNSS信号は、その航法衛星が送信する航法信号である。
【００４９】
例えば、このGNSSにおいて、図３のＡに示されるように、地球１２０上の受信機が４基の航法衛星（航法衛星１２１乃至航法衛星１２４）からのGNSS信号を受信し、それらを基に測位を行うとする。ここで、航法衛星１２１の位置を（X1,Y1,Z1）とし、その衛星時刻をT1とする。また航法衛星１２２の位置を（X2,Y2,Z2）とし、その衛星時刻をT2とする。さらに航法衛星１２３の位置を（X3,Y3,Z3）とし、その衛星時刻をT3とする。さらに航法衛星１２４の位置を（X4,Y4,Z4）とし、その衛星時刻をT4とする。そして、受信機の位置を（Xu,Yu,Zu）とし、その受信機時刻をTuとする。
【００５０】
受信機は、GNSS信号の拡散コード（C/Aコード）の同期情報から自身の位置を算出する。例えば、受信機において、航法衛星１２１のGNSS信号S1、航法衛星１２２のGNSS信号S2、航法衛星１２３のGNSS信号S3、航法衛星１２４のGNSS信号S4は、図３のＢのような時刻に受信されるとする。この場合、各GNSS信号の受信時刻の関係は、時刻T1,T2,T3,T4,Tuにより表現することができ、例えば光速をCとすると、以下の式（１）乃至式（４）のような連立方程式が成り立つ。
【００５１】
{(X1-Xu)2+(Y1-Yu)2+(Z1-Zu)2}1/2 = C・(Tu-T1)  ・・・（１）
{(X2-Xu)2+(Y2-Yu)2+(Z2-Zu)2}1/2 = C・(Tu-T2)  ・・・（２）
{(X3-Xu)2+(Y3-Yu)2+(Z3-Zu)2}1/2 = C・(Tu-T3)  ・・・（３）
{(X4-Xu)2+(Y4-Yu)2+(Z4-Zu)2}1/2 = C・(Tu-T4)  ・・・（４）
【００５２】
以上のような連立方程式を解くことにより、受信機の位置（Xu,Yu,Zu）と受信機時刻Tuを求めることができる。つまり、４基以上の航法衛星からGNSS信号を十分な品質で受信する事ができれば、受信機の位置や受信機時刻を求めることができる。
【００５３】
このような航法衛星は、高精度なセシウムの発振器を有しており、受信機等に通常内蔵される発振器よりも正確な時刻情報を得ることができる。したがって、一般的に、受信機において上述のようにGNSS信号に基づいて得られる時刻情報（受信機時刻）は、受信機に内蔵される発振器を用いて得られる時刻情報よりも正確である。
【００５４】
また、GNSS信号から得られる情報には、「うるう秒」を補正するための事前情報が含まれている。受信機は、この情報を基に「うるう秒」を挿入することで、より正しい時刻情報を得ることができる。
【００５５】
したがって、位置通知システム１００において送信装置１０１や高感度受信装置１０２が、このようなGNSS信号から得られる時刻情報を用いることにより、信号送受信の際の時刻制御の精度を向上させることができる。つまり、より高品質な通信を実現することができる。
【００５６】
ただし、GNSS信号の受信は常に良好であるとは限らない。受信したGNSS信号の品質が十分でなく観測した各航法衛星の座標や時刻に誤差が含まれる場合、受信機の位置（Xu,Yu,Zu）と受信機時刻Tuの精度も低減する。また、受信できたGNSS信号が不足する場合、つまり、受信機が十分な品質で受信する事ができたGNSS信号の数が３以下の場合、受信機は、補間式を用いて受信機の位置や受信機時刻を求める。そのため、得られた受信機の位置や受信機時刻の精度が低減するおそれがあった。その結果、時刻制御の精度が低減するおそれがあった。時刻制御の精度が低減すると、時分割多重化において各信号が混ざったり、信号の送受信の時刻の誤差増大により受信感度が低減したりして、通信品質が低減するおそれがあった。
【００５７】
そこで、GNSS信号または発振器の発振周波数に基づいて、送信信号の送信を制御するための情報を設定し、その設定された情報に基づいて送信信号の送信制御を行い、その送信制御に従って送信信号を送信するようにする。このようにすることにより、時刻制御の精度の低減を抑制し、通信品質の低減を抑制することができる。
【００５８】
＜２．第１の実施の形態＞
＜送信装置の時刻制御＞
図４は、送信装置１０１の主な構成例を示すブロック図である。図４に示されるように、送信装置１０１は、基準値設定部２１１、GNSS受信部２１２、補正判断部２１３、発振器２１４、時計カウンタ２１５、時計部２１６、送信スケジュール制御部２１７、送信制御部２１８、発振部２１９、および送信部２２０を有する。
【００５９】
基準値設定部２１１は、送信時刻の制御についての判断に関する基準値の設定に関する処理を行う。基準値設定部２１１は、任意の構成により実現することができる。例えば、基準値設定部２１１が、回路、LSI（Large Scale Integration）、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、基準値設定部２１１が、CPUとメモリを有し、CPU（Central Processing Unit）がメモリを用いてプログラムを実行することにより、上述の処理を行うようにしてもよい。
【００６０】
GNSS受信部２１２は、GNSS信号の受信に関する処理を行う。GNSS受信部２１２は、任意の構成により実現することができる。例えば、GNSS受信部２１２が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、GNSS受信部２１２が、アンテナ、受信回路、信号処理回路等により構成されるようにしてもよい。
【００６１】
補正判断部２１３は、送信時刻の制御についての判断に関する処理を行う。補正判断部２１３は、任意の構成により実現することができる。例えば、補正判断部２１３が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、補正判断部２１３が、CPUとメモリを有し、CPUがメモリを用いてプログラムを実行することにより、上述の処理を行うようにしてもよい。
【００６２】
発振器２１４は、所定の発振周波数で発振し、その発振周波数の信号を生成する。発振器２１４は、任意の構成により実現することができる。例えば、発振器２１４が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、発振器２１４が、発振回路等により構成されるようにしてもよい。なお、この発振器２１４の発振方法は任意である。
【００６３】
時計カウンタ２１５は、発振器２１４により生成された信号に基づく時刻の生成に関する処理を行う。時計カウンタ２１５は、任意の構成により実現することができる。例えば、時計カウンタ２１５が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、時計カウンタ２１５が、CPUとメモリを有し、CPUがメモリを用いてプログラムを実行することにより、上述の処理を行うようにしてもよい。
【００６４】
時計部２１６は、送信タイミングの制御に用いられる時刻情報の生成に関する処理を行う。時計部２１６は、任意の構成により実現することができる。例えば、時計部２１６が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、時計部２１６が、CPUとメモリを有し、CPUがメモリを用いてプログラムを実行することにより、上述の処理を行うようにしてもよい。
【００６５】
送信スケジュール制御部２１７は、送信スケジュールの制御に関する処理を行う。送信スケジュール制御部２１７は、任意の構成により実現することができる。例えば、送信スケジュール制御部２１７が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、送信スケジュール制御部２１７が、CPUとメモリを有し、CPUがメモリを用いてプログラムを実行することにより、上述の処理を行うようにしてもよい。
【００６６】
送信制御部２１８は、送信の制御に関する処理を行う。送信制御部２１８は、任意の構成により実現することができる。例えば、送信制御部２１８が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、送信制御部２１８が、CPUとメモリを有し、CPUがメモリを用いてプログラムを実行することにより、上述の処理を行うようにしてもよい。
【００６７】
発振部２１９は、送信周波数の設定に関する処理を行う。発振部２１９は、任意の構成により実現することができる。例えば、発振部２１９が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、発振部２１９が、発振回路等により構成されるようにしてもよい。なお、この発振部２１９の発振方法は任意である。
【００６８】
送信部２２０は、送信に関する処理を行う。送信部２２０は、任意の構成により実現することができる。例えば、送信部２２０が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、送信部２２０が、信号処理回路、送信回路、アンテナ等により構成されるようにしてもよい。
【００６９】
このような構成の送信装置１０１において、時計部２１６は、GNSS受信部２１２により受信されたGNSS信号、または、発振器２１４の発振周波数（発振器２１４により生成される信号の周波数）に基づいて、送信信号の送信を制御するための情報である時刻情報を設定する。送信制御部２１８（および送信スケジュール制御部２１７）は、その時刻情報に基づいて、送信信号の送信を制御する。送信部２２０は、その制御に従って、すなわち、時刻情報により指定される送信時刻において送信信号を送信する。
【００７０】
GNSS受信部２１２が受信したGNSS信号が高品質の場合、そのGNSS信号に基づいて得られる時刻情報は、発振器２１４の発振周波数に基づいて得られる時刻情報よりも正確である。しかしながら、GNSS受信部２１２が受信したGNSS信号が低品質の場合、そのGNSS信号に基づいて得られる時刻情報は、発振器２１４の発振周波数に基づいて得られる時刻情報よりも正確でないことがありうる。したがって、上述のように、GNSS信号と発振器２１４の発振周波数の両方を適宜利用して時刻情報を設定するようにすることにより、GNSS信号の受信品質が十分でない場合も、時刻制御の精度の低減を抑制することができる。つまり、より正確に所望のタイミング（送信時刻）において送信信号を送信することができる。
【００７１】
なお、この送信時刻は、受信側にとって既知のタイミングである。つまり、このようにすることにより、送信装置１０１は、送信時刻が、その受信側にとって既知のタイミングからずれることを抑制することができる。つまり、送信装置１０１は、高感度受信装置１０２が受信時刻（信号を受信するタイミング）を、より正確に、送信信号の送信時刻に対応するタイミング（すなわち、送信信号を受信するのに好適なタイミング）に合わせることができるようにすることができる。
【００７２】
また、時分割多重化においても、送信装置１０１は、以上のようにすることにより、GNSS信号の受信品質が十分でない場合も時刻制御の精度の低減を抑制し、信号同士が混ざらないようにしながらより多くの信号を多重化することができる。
【００７３】
したがって、送信装置１０１は、GNSS信号の受信品質が十分でない場合も、高感度受信装置１０２の受信感度の低減を抑制することができ、通信品質の低減を抑制することができる。
【００７４】
時計部２１６は、GNSS信号の受信状況に応じてGNSS信号または発振周波数を選択し、選択した方を用いて時刻情報を設定することができる。したがって、GNSS信号の受信品質が十分でない場合も、制御の精度の低減を抑制することができるので、通信品質の低減を抑制することができる。
【００７５】
時計部２１６は、受信されたGNSS信号が所定の基準値より高品質である場合、そのGNSS信号を用いて時刻情報を設定し、受信されたGNSS信号がその基準値より低品質である場合、発振周波数を用いて時刻情報を設定することができる。より具体的には、時計部２１６は、受信されたGNSS信号が所定の基準値より高品質である場合、そのGNSS信号から得られる時刻を時刻情報として設定し、受信されたGNSS信号がその基準値より低品質である場合、時計カウンタ２１５において発振周波数に同期したタイミングでカウントして得られる時刻を時刻情報として設定することができる。したがって、GNSS信号の受信品質が十分でない場合も、制御の精度の低減を抑制することができるので、通信品質の低減を抑制することができる。
【００７６】
送信制御部２１８（および送信スケジュール制御部２１７）は、送信部２２０を制御して、時計部２１６により設定された時刻情報に基づいて、送信信号を、予め定められた受信側に既知の送信タイミングにおいて送信させることができる。したがって、より正確な送信時刻において送信信号を送信することができるので、通信品質の低減を抑制することができる。また、送信制御部２１８は、送信信号を時分割多重化する場合も、時計部２１６により設定された時刻情報を用いることにより、各信号の送信タイミングをより正確なタイミングで送信することができるので、信号同士が混ざらないようにしながらより多くの信号を多重化することができ、通信品質の低減を抑制することができる。
【００７７】
ところで、発振器２１４は、発振周波数で発振し、その周波数の信号を生成する。発振器２１４は、その信号を時計カウンタ２１５に供給する。時計カウンタ２１５は、その発振器２１４から供給される信号の周波数（つまり発振周波数）に同期したタイミングでカウントを行い、発振周波数に基づく時刻（発振器生成時刻とも称する）を設定する。時計カウンタ２１５は、その発振器生成時刻を時計部２１６に供給する。時計部２１６は上述のようにその発振器生成時刻を利用して時刻情報を設定することができる。
【００７８】
このような時計カウンタ２１５は、受信されたGNSS信号が所定の基準値より高品質である場合、補正判断部２１３においてそのGNSS信号から得られる時刻を用いて、発振器２１４により与えられる発振周波数に同期したタイミングでカウントして得られる時刻を補正することができる。これにより、発振周波数に基づく時刻をより正確にすることができるので、GNSS信号の受信品質が十分でない場合も、より正確な時刻情報を設定することができ、通信品質の低減を抑制することができる。
【００７９】
GNSS受信部２１２は、例えば、GNSS信号を受信する。時計部２１６は、そのGNSS受信部２１２において受信されたGNSS信号または発振周波数に基づいて時刻情報を設定することができる。また、補正判断部２１３は、例えば、GNSS受信部２１２において受信されたGNSS信号の品質が十分に高品質であるか否かを、基準値設定部２１１により設定された基準値に基づいて判断する。そして、そのGNSS信号が十分に高品質であると判断した場合、補正判断部２１３は、例えば、GNSS受信部２１２において受信されたGNSS信号に基づいて時刻（補正込み時刻）を設定する。補正判断部２１３は、このGNSS信号に基づく時刻を時計カウンタ２１５および時計部２１６に供給する。時計部２１６は、上述のように、このGNSS信号に基づく時刻から時刻情報を生成することができる。また、時計カウンタ２１５は、上述のように、このGNSS信号に基づく時刻を用いて発振周波数に基づく時刻を補正することができる。
【００８０】
＜送信処理の流れ＞
図５のフローチャートを参照して、送信装置１０１により実行される送信処理の流れの例を説明する。送信処理が開始されると、基準値設定部２１１は、ステップＳ１０１において、補正判断部２１３による判断において閾値として利用される補正適用判断基準値を設定する。この基準値の設定方法は任意である。例えば、予め定められた値が設定されるようにしてもよいし、ユーザ等により指定されるようにしてもよいし、例えば外部環境や内部環境等に応じて設定されるようにしてもよい。基準値設定部２１１は、設定した補正適用判断基準値を補正判断部２１３に供給する。
【００８１】
ステップＳ１０２において、GNSS受信部２１２は、GNSS信号を受信する。このGNSS信号には、そのGNSS信号を送信した航法衛星の時刻情報や位置情報等、様々な情報が含まれる。GNSS受信部２１２は、受信したGNSS信号に含まれるそれらの情報を受信情報として補正判断部２１３に供給する。ステップＳ１０３において、補正判断部２１３は、その受信情報の品質を判断する。補正判断部２１３は、GNSS信号を受信できた衛星数、各衛星のCNR（Carrier to Noise ratio）、ドップラ周波数、高度、うるう秒等の情報に基づいて、受信情報の品質を判断（評価）する。そして、ステップＳ１０４において、補正判断部２１３は、基準値設定部２１１により設定された補正適用判断基準値を閾値として、受信情報の品質が高品質であるか否かを判定する。受信情報の品質が、補正適用判断基準値を超えており、十分に高品質であると判定された場合、処理はステップＳ１０５に進む。
【００８２】
ステップＳ１０５において、補正判断部２１３は、受信情報を用いてGNSS信号に基づく時刻（補正込み時刻）を設定し、その補正込み時刻を時計カウンタ２１５および時計部２１６に供給する。この補正込み時刻は、上述のように航法衛星の時刻情報に基づく時刻であり、発振周波数に基づく時刻よりも正確な時刻である。つまり、発振周波数に基づく時刻に対する補正分も含まれる時刻である。
【００８３】
ステップＳ１０６において、時計部２１６は、その補正込み時刻を時刻情報として設定する。時計部２１６は、設定した時刻情報を送信スケジュール制御部２１７に供給する。受信したGNSS信号が十分に高品質であれば、そのGNSS信号に基づいて得られる補正込み時刻も十分に正確である。したがって、時計部２１６は、その正確な補正込み時刻を用いることにより、より正確な時刻情報を設定することができる。したがって、送信装置１０１は、そのより正確な時刻情報に基づいて送信信号を送信することにより、通信品質の低減を抑制することができる。
【００８４】
ステップＳ１０７において、時計カウンタ２１５は、ステップＳ１０５の処理により生成された補正込み時刻で、自身のカウント値、すなわち、発振器生成時刻を補正する。したがって、時計カウンタ２１５は、その正確な補正込み時刻を用いて発振器生成時刻を補正することにより、発振器生成時刻（カウント値）をより正確な時刻とすることができる。したがって、送信装置１０１は、GNSS信号の受信品質が十分でない場合も、より正確な時刻情報を設定することができるようになり、通信品質の低減を抑制することができる。
【００８５】
ステップＳ１０７の処理が終了すると処理はステップＳ１１０に進む。また、ステップＳ１０４において、受信情報の品質が、補正適用判断基準値を超えておらず、十分に高品質ではない（低品質である）と判定された場合、処理はステップＳ１０８に進む。
【００８６】
ステップＳ１０８において、時計カウンタ２１５は、発振器２１４の発振周波数から発振器生成時刻を生成する。ステップＳ１０９において、時計部２１６は、ステップＳ１０８の処理により生成された発振器生成時刻を時刻情報として設定する。つまり、GNSS信号の受信品質が低品質の場合、GNSS信号に頼らず、送信装置１０１内部において生成される発振周波数に基づく時刻を用いて時刻情報を設定する。したがって、送信装置１０１は、GNSS信号の受信品質が十分でない場合も、補間式の利用などによる時刻情報の正確さの低減を抑制することができ、通信品質の低減を抑制することができる。
【００８７】
ステップＳ１０９の処理が終了すると処理はステップＳ１１０に進む。ステップＳ１１０において、送信スケジュール制御部２１７は、時計部２１６から供給される時刻情報と、予め設定されている（受信側にとっても既知の）送信スケジュールに基づいて、送信信号を送信する送信タイミングを設定する。この送信タイミングは、受信側にとって既知のタイミングである。送信スケジュール制御部２１７は、上述のように設定された時刻情報を用いてこの送信タイミングを設定することにより、送信タイミングをより正確な時刻に設定することができる。したがって、通信品質の低減を抑制することができる。送信スケジュール制御部２１７は、設定した送信タイミングを送信制御部２１８に供給する。
【００８８】
ステップＳ１１１において、送信制御部２１８は、発振部２１９および送信部２２０を制御し、送信信号を、ステップＳ１１０において設定された送信タイミングにおいて送信させる。発振部２１９は、送信制御部２１８の制御に従って、所定の発振周波数（例えば９２０ＭＨｚ帯）で発振し、その発振周波数の信号を送信部２２０に供給する。送信部２２０は、送信信号を生成し、送信制御部２１８の制御に従って、その送信信号を、上述の送信タイミングにおいて、発振部２１９の発振周波数で送信する。したがって、送信部２２０は、GNSS信号の受信品質が十分でない状態であってもより正確な送信タイミングにおいて送信信号を送信することができるので、通信品質の低減を抑制することができる。
【００８９】
なお、送信信号の生成方法は任意である。また、送信信号の内容も任意である。例えば、送信装置１０１の時刻情報や位置情報等が含まれるようにしてもよい。また、送信信号を時分割多重化して送信するようにしてもよい。その場合も、送信部２２０は、送信制御部２１８の制御に従って送信信号を送信することにより、GNSS信号の受信品質が十分でない状態であってもより正確な送信タイミングにおいて送信信号を送信することができ、信号同士が混ざらないようにしながらより多くの信号を多重化することができる。したがって、通信品質の低減を抑制することができる。
【００９０】
ステップＳ１１１の処理が終了すると送信処理が終了される。以上のように各処理を実行することにより、送信装置１０１は、通信品質の低減を抑制することができる。
【００９１】
＜３．第２の実施の形態＞
＜受信装置の時刻制御＞
高感度受信装置１０２においても、送信装置１０１の場合と同様に、GNSS信号を利用することにより、より正確な時刻制御を行うことができるが、受信したGNSS信号の品質が十分でなく観測した各航法衛星の座標や時刻に誤差が含まれる場合、通信品質が低減するおそれがあった。
【００９２】
そこで、GNSS信号または発振器の発振周波数に基づいて、送信側から送信された信号の受信を制御するための情報を設定し、その設定された情報に基づいて、信号の受信制御を行い、その受信制御に従って信号を受信するようにする。このようにすることにより、制御の精度の低減を抑制し、通信品質の低減を抑制することができる。
【００９３】
図６は、高感度受信装置１０２の主な構成例を示すブロック図である。図６に示されるように、高感度受信装置１０２は、基準値設定部３１１、GNSS受信部３１２、補正判断部３１３、発振器３１４、時計カウンタ３１５、時計部３１６、受信スケジュール制御部３１７、受信制御部３１８、発振部３１９、および受信部３２０を有する。
【００９４】
基準値設定部３１１は、受信時刻の制御についての判断に関する基準値の設定に関する処理を行う。基準値設定部３１１は、任意の構成により実現することができる。例えば、基準値設定部３１１が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、基準値設定部３１１が、CPUとメモリを有し、CPUがメモリを用いてプログラムを実行することにより、上述の処理を行うようにしてもよい。
【００９５】
GNSS受信部３１２は、GNSS信号の受信に関する処理を行う。GNSS受信部３１２は、任意の構成により実現することができる。例えば、GNSS受信部３１２が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、GNSS受信部３１２が、アンテナ、受信回路、信号処理回路等により構成されるようにしてもよい。
【００９６】
補正判断部３１３は、受信時刻の制御についての判断に関する処理を行う。補正判断部３１３は、任意の構成により実現することができる。例えば、補正判断部３１３が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、補正判断部３１３が、CPUとメモリを有し、CPUがメモリを用いてプログラムを実行することにより、上述の処理を行うようにしてもよい。
【００９７】
発振器３１４は、所定の発振周波数で発振し、その発振周波数の信号を生成する。発振器３１４は、任意の構成により実現することができる。例えば、発振器３１４が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、発振器３１４が、発振回路等により構成されるようにしてもよい。なお、この発振器３１４の発振方法は任意である。
【００９８】
時計カウンタ３１５は、発振器３１４により生成された信号に基づく時刻の生成に関する処理を行う。時計カウンタ３１５は、任意の構成により実現することができる。例えば、時計カウンタ３１５が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、時計カウンタ３１５が、CPUとメモリを有し、CPUがメモリを用いてプログラムを実行することにより、上述の処理を行うようにしてもよい。
【００９９】
時計部３１６は、受信タイミングの制御に用いられる時刻情報の生成に関する処理を行う。時計部３１６は、任意の構成により実現することができる。例えば、時計部３１６が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、時計部３１６が、CPUとメモリを有し、CPUがメモリを用いてプログラムを実行することにより、上述の処理を行うようにしてもよい。
【０１００】
受信スケジュール制御部３１７は、受信スケジュールの制御に関する処理を行う。受信スケジュール制御部３１７は、任意の構成により実現することができる。例えば、受信スケジュール制御部３１７が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、受信スケジュール制御部３１７が、CPUとメモリを有し、CPUがメモリを用いてプログラムを実行することにより、上述の処理を行うようにしてもよい。
【０１０１】
受信制御部３１８は、受信の制御に関する処理を行う。受信制御部３１８は、任意の構成により実現することができる。例えば、受信制御部３１８が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、受信制御部３１８が、CPUとメモリを有し、CPUがメモリを用いてプログラムを実行することにより、上述の処理を行うようにしてもよい。
【０１０２】
発振部３１９は、受信周波数の設定に関する処理を行う。発振部３１９は、任意の構成により実現することができる。例えば、発振部３１９が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、発振部２１９が、発振回路等により構成されるようにしてもよい。なお、この発振部３１９の発振方法は任意である。
【０１０３】
受信部３２０は、受信に関する処理を行う。受信部３２０は、任意の構成により実現することができる。例えば、受信部３２０が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、受信部３２０が、アンテナ、受信回路、信号処理回路等により構成されるようにしてもよい。
【０１０４】
このような構成の高感度受信装置１０２において、時計部３１６は、GNSS受信部３１２により受信されたGNSS信号、または、発振器３１４の発振周波数（発振器３１４により生成される信号の周波数）に基づいて、信号の受信を制御するための情報である時刻情報を設定する。受信制御部３１８（および受信スケジュール制御部３１７）は、その時刻情報に基づいて、信号の受信を制御する。受信部３２０は、その制御に従って、すなわち、時刻情報により指定される受信時刻において受信信号を送信する。この受信時刻は、送信装置１０１の送信時刻に対応する時刻である。つまり、このようにすることにより、GNSS信号の受信品質が十分でない場合も、制御の精度の低減を抑制することができるので、通信品質の低減を抑制することができる。
【０１０５】
時計部３１６は、GNSS信号の受信状況に応じてGNSS信号または発振周波数を選択し、選択した方を用いて時刻情報を設定することができる。したがって、GNSS信号の受信品質が十分でない場合も、制御の精度の低減を抑制することができるので、通信品質の低減を抑制することができる。
【０１０６】
時計部３１６は、受信されたGNSS信号が所定の基準値より高品質である場合、そのGNSS信号を用いて時刻情報を設定し、受信されたGNSS信号がその基準値より低品質である場合、発振周波数を用いて時刻情報を設定することができる。より具体的には、時計部３１６は、受信されたGNSS信号が所定の基準値より高品質である場合、そのGNSS信号から得られる時刻を時刻情報として設定し、受信されたGNSS信号がその基準値より低品質である場合、時計カウンタ３１５において発振周波数に同期したタイミングでカウントして得られる時刻を時刻情報として設定することができる。したがって、GNSS信号の受信品質が十分でない場合も、時刻制御の精度の低減を抑制することができるので、通信品質の低減を抑制することができる。
【０１０７】
受信制御部３１８（および受信スケジュール制御部３１７）は、受信部３２０を制御して、時計部３１６により設定された時刻情報に基づいて、信号を予め定められた送信側に既知の受信タイミングに受信させることができる。したがって、より正確な受信タイミングにおいて信号を受信することができるので、通信品質の低減を抑制することができる。
【０１０８】
ところで、発振器３１４は、発振周波数で発振し、その周波数の信号を生成する。発振器３１４は、その信号を時計カウンタ３１５に供給する。時計カウンタ３１５は、その発振器３１４から供給される信号の周波数（つまり発振周波数）に同期したタイミングでカウントを行い、発振周波数に基づく時刻（発振器生成時刻とも称する）を設定する。時計カウンタ３１５は、その発振器生成時刻を時計部３１６に供給する。時計部３１６は上述のようにその発振器生成時刻を利用して時刻情報を設定することができる。
【０１０９】
このような時計カウンタ３１５は、受信されたGNSS信号が所定の基準値より高品質である場合、補正判断部３１３においてそのGNSS信号から得られる時刻を用いて、発振器３１４により与えられる発振周波数に同期したタイミングでカウントして得られる時刻を補正することができる。これにより、発振周波数に基づく時刻をより正確にすることができるので、GNSS信号の受信品質が十分でない場合も、より正確な時刻情報を設定することができ、通信品質の低減を抑制することができる。
【０１１０】
GNSS受信部３１２は、例えば、GNSS信号を受信する。時計部３１６は、そのGNSS受信部３１２において受信されたGNSS信号または発振周波数に基づいて時刻情報を設定することができる。また、補正判断部３１３は、例えば、GNSS受信部３１２において受信されたGNSS信号の品質が十分に高品質であるか否かを、基準値設定部３１１により設定された基準値に基づいて判断する。そして、そのGNSS信号が十分に高品質であると判断した場合、補正判断部３１３は、例えば、GNSS受信部３１２において受信されたGNSS信号に基づいて時刻（補正込み時刻）を設定する。補正判断部３１３は、このGNSS信号に基づく時刻を時計カウンタ３１５および時計部３１６に供給する。時計部３１６は、上述のように、このGNSS信号に基づく時刻から時刻情報を生成することができる。また、時計カウンタ３１５は、上述のように、このGNSS信号に基づく時刻を用いて発振周波数に基づく時刻を補正することができる。
【０１１１】
＜受信処理の流れ＞
図７のフローチャートを参照して、高感度受信装置１０２により実行される受信処理の流れの例を説明する。受信処理が開始されると、基準値設定部３１１は、ステップＳ２０１において、補正判断部３１３による判断において閾値として利用される補正適用判断基準値を設定する。この基準値の設定方法は任意である。例えば、予め定められた値が設定されるようにしてもよいし、ユーザ等により指定されるようにしてもよいし、例えば外部環境や内部環境等に応じて設定されるようにしてもよい。基準値設定部３１１は、設定した補正適用判断基準値を補正判断部３１３に供給する。
【０１１２】
ステップＳ２０２において、GNSS受信部３１２は、GNSS信号を受信する。このGNSS信号には、そのGNSS信号を送信した航法衛星の時刻情報や位置情報等、様々な情報が含まれる。GNSS受信部３１２は、受信したGNSS信号に含まれるそれらの情報を受信情報として補正判断部３１３に供給する。ステップＳ２０３において、補正判断部３１３は、その受信情報の品質を判断する。補正判断部３１３は、GNSS信号を受信できた衛星数、各衛星のCNR（Carrier to Noise ratio）、ドップラ周波数、高度、うるう秒等の情報に基づいて、受信情報の品質を判断（評価）する。そして、ステップＳ２０４において、補正判断部３１３は、基準値設定部３１１により設定された補正適用判断基準値を閾値として、受信情報の品質が高品質であるか否かを判定する。受信情報の品質が、補正適用判断基準値を超えており、十分に高品質であると判定された場合、処理はステップＳ２０５に進む。
【０１１３】
ステップＳ２０５において、補正判断部３１３は、受信情報を用いてGNSS信号に基づく時刻（補正込み時刻）を設定し、その補正込み時刻を時計カウンタ３１５および時計部３１６に供給する。この補正込み時刻は、上述のように航法衛星の時刻情報に基づく時刻であり、発振周波数に基づく時刻よりも正確な時刻である。つまり、発振周波数に基づく時刻に対する補正分も含まれる時刻である。
【０１１４】
ステップＳ２０６において、時計部３１６は、その補正込み時刻を時刻情報として設定する。時計部３１６は、設定した時刻情報を受信スケジュール制御部３１７に供給する。受信したGNSS信号が十分に高品質であれば、そのGNSS信号に基づいて得られる補正込み時刻も十分に正確である。したがって、時計部３１６は、その正確な補正込み時刻を用いることにより、より正確な時刻情報を設定することができる。したがって、高感度受信装置１０２は、そのより正確な時刻情報に基づいて信号を受信することにより、通信品質の低減を抑制することができる。
【０１１５】
ステップＳ２０７において、時計カウンタ３１５は、ステップＳ２０５の処理により生成された補正込み時刻で、自身のカウント値、すなわち、発振器生成時刻を補正する。したがって、時計カウンタ３１５は、その正確な補正込み時刻を用いて発振器生成時刻を補正することにより、発振器生成時刻（カウント値）をより正確な時刻とすることができる。したがって、高感度受信装置１０２は、GNSS信号の受信品質が十分でない場合も、より正確な時刻情報を設定することができるようになり、通信品質の低減を抑制することができる。
【０１１６】
ステップＳ２０７の処理が終了すると処理はステップＳ２１０に進む。また、ステップＳ２０４において、受信情報の品質が、補正適用判断基準値を超えておらず、十分に高品質ではない（低品質である）と判定された場合、処理はステップＳ２０８に進む。
【０１１７】
ステップＳ２０８において、時計カウンタ３１５は、発振器３１４の発振周波数から発振器生成時刻を生成する。ステップＳ２０９において、時計部３１６は、ステップＳ２０８の処理により生成された発振器生成時刻を時刻情報として設定する。つまり、GNSS信号の受信品質が低品質の場合、GNSS信号に頼らず、高感度受信装置１０２内部において生成される発振周波数に基づく時刻を用いて時刻情報を設定する。したがって、高感度受信装置１０２は、GNSS信号の受信品質が十分でない場合も、補間式の利用などによる時刻情報の正確さの低減を抑制することができ、通信品質の低減を抑制することができる。
【０１１８】
ステップＳ２０９の処理が終了すると処理はステップＳ２１０に進む。ステップＳ２１０において、受信スケジュール制御部３１７は、時計部３１６から供給される時刻情報と、既知の送信スケジュールに対応する受信スケジュール（予め定められた受信スケジュール）に基づいて、信号を受信する受信タイミングを設定する。この受信タイミングは、送信装置１０１における送信タイミングに対応するタイミング、すなわち、送信タイミングにおいて送信された信号を受信するのに好適なタイミングである。受信スケジュール制御部３１７は、上述のように設定された時刻情報を用いてこの受信タイミングを設定することにより、GNSS信号の受信品質が十分でない状態であっても受信タイミングをより正確な時刻に設定することができる。したがって、通信品質の低減を抑制することができる。受信スケジュール制御部３１７は、設定した受信タイミングを受信制御部３１８に供給する。
【０１１９】
ステップＳ２１１において、受信制御部３１８は、発振部３１９および受信部３２０を制御し、送信装置１０１から送信された送信信号を、ステップＳ２１０において設定された受信タイミングにおいて受信させる。発振部３１９は、受信制御部３１８の制御に従って、所定の発振周波数（例えば９２０ＭＨｚ帯）で発振し、その発振周波数の信号を受信部３２０に供給する。受信部３２０は、受信制御部３１８の制御に従って、上述の受信タイミングにおいて、発振部３１９の発振周波数で信号を受信する（つまり、発振部３１９の発振周波数と同じ周波数で送信される信号を受信する）。
【０１２０】
受信部３２０は、受信制御部３１８の制御に従ってこのように信号を受信することにより、GNSS信号の受信品質が十分でない状態であってもより正確な受信タイミングにおいて信号を受信することができる。したがって、通信品質の低減を抑制することができる。
【０１２１】
なお、受信する信号が時分割多重化されている場合、受信部３２０は、受信制御部３１８の制御に従って信号を受信することにより、GNSS信号の受信品質が十分でない状態であっても多重化された各信号の識別精度が低減してしまうのを抑制することができる。つまり、より多くの信号が多重化された信号をより正確に受信することができる。したがって、通信品質の低減を抑制することができる。
【０１２２】
受信部３２０は、受信信号から送信装置１０１の識別情報や位置情報等を抽出し、それをサーバ１０４に供給する。
【０１２３】
ステップＳ２１１の処理が終了すると受信処理が終了される。以上のように各処理を実行することにより、高感度受信装置１０２は、通信品質の低減を抑制することができる。
【０１２４】
＜４．第３の実施の形態＞
＜周波数制御＞
送信装置１０１は、送信信号の送信において、上述のような送信時刻だけでなく、送信周波数を制御することができる。上述のように周波数分割多重化を行う場合、送信信号の周波数の制御精度を向上させることにより、より多くの信号を多重化させることができる。例えば、図１に示されるような位置通知システム１００において周波数分割多重化を行う場合、周波数制御に約１０Ｈｚ程度の精度が求められるとする。しかしながら、送信装置１０１や高感度受信装置１０２に一般的に内蔵される発振器でこのような精度を実現することは困難であった。そこで、上述の時刻制御の場合と同様に、GNSS信号を用いて周波数の制御を行うことが考えられた。
【０１２５】
例えば、図８に示されるように、航法衛星の速度（衛星速度）のベクトルをVsとし、ドップラ周波数をfdとし、受信機の速度（受信機速度）のベクトルをVuとし、航法衛星から受信機までのベクトルをDとし、その向きの単位ベクトルをe（＝D/|D|）とする。航法衛星に対する受信機の相対速度Vdは、これらを用いて以下の式（５）のように表すことができる。
【０１２６】
Vd=((Vs-Vu)・e)  ・・・（５）
【０１２７】
また、光速をCとし、航法衛星のドップラ周波数をfdとし、GNSS信号のキャリア周波数をfcとし、波長をλすると、航法衛星に対する受信機の相対速度Vdは、これらを用いて以下の式（６）のように表すことができる。
【０１２８】
Vd=C・fd/fc=fd・λ  ・・・（６）
【０１２９】
図３のＡの例において、航法衛星１２１の衛星速度をVs1（＝（VX1,VY1,VZ1））とし、ドップラ周波数をfd1とする。また、航法衛星１２２の衛星速度をVs2（＝（VX2,VY2,VZ2））とし、ドップラ周波数をfd2とする。さらに、航法衛星１２３の衛星速度をVs3（＝（VX3,VY3,VZ3））とし、ドップラ周波数をfd3とする。さらに、航法衛星１２４の衛星速度をVs4（＝（VX4,VY4,VZ4））とし、ドップラ周波数をfd4とする。
【０１３０】
また、航法衛星１２１から受信機に向かう単位ベクトルをe1（＝（eX1,eY1,eZ1））とする。航法衛星１２２から受信機に向かう単位ベクトルをe2（＝（eX2,eY2,eZ2））とする。航法衛星１２３から受信機に向かう単位ベクトルをe3（＝（eX3,eY3,eZ3））とする。航法衛星１２４から受信機に向かう単位ベクトルをe4（＝（eX4,eY4,eZ4））とする。
【０１３１】
これらの航法衛星に関する情報は軌道情報と受信機のキャリア同期等から既知である。したがって、式（５）および式（６）から、以下の式（７）乃至式（１０）の連立方程式を解くことにより、受信機速度Vu（＝（VXu,VYu,VZu））と、発振器周波数のオフセットdfuを求めることができる。
【０１３２】
(VX1-VXu)・eX1+(VY1-VYu)・eY1+(VZ1-VZu)・eZ1 = C・(fd1-dfu)/fc  ・・・（７）
(VX2-VXu)・eX2+(VY2-VYu)・eY2+(VZ2-VZu)・eZ2 = C・(fd2-dfu)/fc  ・・・（８）
(VX3-VXu)・eX3+(VY3-VYu)・eY3+(VZ3-VZu)・eZ3 = C・(fd3-dfu)/fc  ・・・（９）
(VX4-VXu)・eX4+(VY4-VYu)・eY4+(VZ4-VZu)・eZ4 = C・(fd4-dfu)/fc  ・・・（１０）
【０１３３】
副次的に正確なXtal発振周波数もわかる。５衛星以上からGNSS信号を受信できる場合は、最小２乗法で解くことができる。
【０１３４】
このような航法衛星は、高精度なセシウムの発振器を有しており、受信機等に通常内蔵される発振器よりも正確な周波数を得ることができる。したがって、一般的に、受信機において上述のようにGNSS信号に基づいて得られる周波数は、受信機に内蔵される発振器の発振周波数よりも正確である（周波数が変動しない）。
【０１３５】
したがって、位置通知システム１００において送信装置１０１や高感度受信装置１０２が、このようなGNSS信号から得られる周波数を用いることにより、信号送受信の際の周波数制御の精度を向上させることができる。つまり、より高品質な通信を実現することができる。
【０１３６】
ただし、GNSS信号の受信は常に良好であるとは限らない。受信したGNSS信号の品質が十分でなく観測した各航法衛星の衛星速度、ドップラ周波数、キャリア周波数等に誤差が含まれる場合、受信機の発振器周波数のオフセットの精度も低減する。また、受信できたGNSS信号が不足する場合、つまり、受信機が十分な品質で受信する事ができたGNSS信号の数が３以下の場合、受信機は、補間式を用いて受信機の位置や受信機時刻を求める。そのため、得られた受信機の発振器周波数のオフセットの精度が低減するおそれがあった。その結果、周波数制御の精度が低減するおそれがあった。周波数制御の精度が低減すると、周波数分割多重化において各信号が混ざったり、信号の送受信の時刻の誤差増大により受信感度が低減したりして、通信品質が低減するおそれがあった。
【０１３７】
そこで、GNSS信号または発振器の発振周波数に基づいて、送信信号の送信を制御するための情報を設定し、その設定された情報に基づいて送信信号の送信制御を行い、その送信制御に従って送信信号を送信するようにする。このようにすることにより、周波数制御の精度の低減を抑制し、通信品質の低減を抑制することができる。
【０１３８】
＜送信装置の周波数制御＞
図９は、周波数制御をおこなう場合の送信装置１０１の主な構成例を示すブロック図である。図９に示されるように、この場合、送信装置１０１は、図４の補正判断部２１３の代わりに補正判断部４１３を有し、時計カウンタ２１５、時計部２１６、および送信スケジュール制御部２１７の代わりに発振周波数演算部４１６を有する。
【０１３９】
補正判断部４１３は、送信周波数の制御についての判断に関する処理を行う。補正判断部４１３は、任意の構成により実現することができる。例えば、補正判断部４１３が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、補正判断部４１３が、CPUとメモリを有し、CPUがメモリを用いてプログラムを実行することにより、上述の処理を行うようにしてもよい。
【０１４０】
発振周波数演算部４１６は、補正後の送信周波数（誤差込み送信周波数）の設定に関する処理を行う。発振周波数演算部４１６は、任意の構成により実現することができる。例えば、発振周波数演算部４１６が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、発振周波数演算部４１６が、CPUとメモリを有し、CPUがメモリを用いてプログラムを実行することにより、上述の処理を行うようにしてもよい。
【０１４１】
このような構成の送信装置１０１において、発振周波数演算部４１６は、GNSS受信部２１２により受信されたGNSS信号、または、発振器２１４の発振周波数（発振器２１４により生成される信号の周波数）に基づいて、送信信号の送信を制御するための情報である送信制御用周波数（誤差込み送信周波数とも称する）を設定する。送信制御部２１８は、その送信制御用周波数に基づいて、送信信号の送信を制御する。発振部２１９は、その制御に従って、すなわち、指定される送信制御用周波数に基づく送信周波数で発振し、送信部２２０は、その送信周波数で送信信号を送信する。このようにすることにより、GNSS信号の受信品質が十分でない場合も、制御の精度の低減を抑制することができる。つまり、より正確に所望の周波数（送信周波数）で送信信号を送信することができる。
【０１４２】
なお、この送信周波数は、受信側にとって既知の周波数である。つまり、このようにすることにより、送信装置１０１は、送信周波数が、その受信側にとって既知の周波数からずれることを抑制することができる。つまり、送信装置１０１は、高感度受信装置１０２が受信周波数を、より正確に、送信信号の周波数に合わせることができるようにすることができる。
【０１４３】
また、周波数分割多重化やチャープ変調を用いた時分割多重化等の場合においても、送信装置１０１は、以上のようにすることにより、GNSS信号の受信品質が十分でない場合も周波数制御の精度の低減を抑制し、信号同士が混ざらないようにしながらより多くの信号を多重化することができる。
【０１４４】
したがって、送信装置１０１は、GNSS信号の受信品質が十分でない場合も、高感度受信装置１０２の受信感度の低減を抑制することができ、通信品質の低減を抑制することができる。
【０１４５】
発振周波数演算部４１６は、GNSS信号の受信状況に応じてGNSS信号または発振周波数を選択し、選択した方を用いて送信制御用周波数を設定することができる。したがって、GNSS信号の受信品質が十分でない場合も、制御の精度の低減を抑制することができるので、通信品質の低減を抑制することができる。
【０１４６】
発振周波数演算部４１６は、受信されたGNSS信号が所定の基準値より高品質である場合、そのGNSS信号を用いて誤差込み送信周波数を設定し、受信されたGNSS信号がその基準値より低品質である場合、発振周波数を用いて誤差込み送信周波数を設定することができる。より具体的には、受信されたGNSS信号が所定の基準値より高品質である場合、発振周波数演算部４１６は、発振器２１４から供給される信号の周波数（発振周波数）を、今回受信されたGNSS信号から得られる周波数誤差を用いて補正し、それを送信制御用周波数として設定することができる。これに対して、受信されたGNSS信号がその基準値より低品質である場合、発振周波数演算部４１６は、発振器２１４から供給される信号の周波数（発振周波数）を、前回の補正に用いられた補正値を用いて補正し、それを送信制御用周波数として設定することができる。前回の補正値は、GNSS信号が高品質の場合に得られた値であるので、この値を用いることにより、今回の低品質なGNSS信号から得られる補正値を用いる場合よりも正確な送信制御用周波数が得られる。したがって、GNSS信号の受信品質が十分でない場合も、制御の精度の低減を抑制することができるので、通信品質の低減を抑制することができる。
【０１４７】
送信制御部２１８は、発振部２１９を制御して、発振周波数演算部４１６により設定された送信制御用周波数に基づく送信周波数で発振させる。そして、送信制御部２１８は、送信部２２０を制御して、送信信号をその送信周波数で送信させることができる。したがって、より正確な送信周波数で送信信号を送信することができ、通信品質の低減を抑制することができる。
【０１４８】
また、送信制御部２１８は、送信信号を周波数分割多重化する場合も、発振周波数演算部４１６により設定された送信制御用周波数に基づく送信周波数で送信させることにより、多重化される各信号をより正確な周波数に設定することができる。また、送信制御部２１８は、送信信号に対してチャープ変調を利用した時分割多重化を適用する場合も、発振周波数演算部４１６により設定された送信制御用周波数に基づく送信周波数で送信させることにより、各信号の帯域幅をより狭くすることができる。したがって、信号同士が混ざらないようにしながらより多くの信号を多重化することができ、通信品質の低減を抑制することができる。
【０１４９】
GNSS受信部２１２は、例えば、GNSS信号を受信する。発振周波数演算部４１６は、そのGNSS受信部２１２において受信されたGNSS信号または発振周波数に基づいて送信制御用周波数を設定することができる。また、補正判断部２１３は、例えば、GNSS受信部２１２において受信されたGNSS信号の品質が十分に高品質であるか否かを、基準値設定部２１１により設定された基準値に基づいて判断する。そして、そのGNSS信号が十分に高品質であると判断した場合、補正判断部２１３は、例えば、GNSS受信部２１２において受信されたGNSS信号に基づいて周波数（周波数誤差）を設定する。補正判断部２１３は、このGNSS信号に基づく周波数誤差を発振周波数演算部４１６に供給する。発振周波数演算部４１６は、上述のように、このGNSS信号に基づく周波数誤差から送信制御用周波数を生成することができる。
【０１５０】
＜送信処理の流れ＞
図１０のフローチャートを参照して、この場合の送信装置１０１により実行される送信処理の流れの例を説明する。送信処理が開始されると、ステップＳ３０１乃至ステップＳ３０４の各処理が、図５のステップＳ１０１乃至ステップＳ１０４の各処理と同様に実行される。ただし、ステップＳ３０３およびステップＳ３０４の処理は、補正判断部４１３が行う。ステップＳ３０４において、受信情報の品質が、補正適用判断基準値を超えており、十分に高品質であると判定された場合、処理はステップＳ３０５に進む。
【０１５１】
ステップＳ３０５において、補正判断部４１３は、受信情報を用いてGNSS信号に基づく周波数（周波数誤差）を設定し、その周波数誤差を発振周波数演算部４１６に供給する。この周波数誤差は、上述のように航法衛星の衛星速度等の情報に基づく補正値である。
【０１５２】
ステップＳ３０６において、発振周波数演算部４１６は、発振器２１４において得られる発振周波数を、ステップＳ３０５において設定された周波数誤差で補正し、その補正後の周波数を誤差込み送信周波数として設定する。発振周波数演算部４１６は、その誤差込み送信周波数を送信制御部２１８に供給する。
【０１５３】
受信したGNSS信号が十分に高品質であれば、そのGNSS信号に基づいて得られる周波数誤差も十分に正確である。したがって、発振周波数演算部４１６は、その正確な周波数誤差を用いて発振周波数を補正することにより、より正確な誤差込み送信周波数を設定することができる。したがって、送信装置１０１は、そのより正確な誤差込み送信周波数に基づく送信周波数で送信信号を送信することにより、通信品質の低減を抑制することができる。
【０１５４】
ステップＳ３０６の処理が終了すると処理はステップＳ３０８に進む。また、ステップＳ３０４において、受信情報の品質が、補正適用判断基準値を超えておらず、十分に高品質ではない（低品質である）と判定された場合、処理はステップＳ３０７に進む。
【０１５５】
ステップＳ３０７において、発振周波数演算部４１６は、発振器２１４の発振周波数を、前回と同じ周波数誤差で補正する。発振周波数演算部４１６は、その誤差込み送信周波数を送信制御部２１８に供給する。つまり、GNSS信号の受信品質が低品質の場合、その低品質なGNSS信号に頼らず、高品質なGNSS信号に基づく周波数誤差を用いて発振周波数を補正する。したがって、送信装置１０１は、GNSS信号の受信品質が十分でない場合も、補間式の利用などによる周波数の正確さの低減を抑制することができ、通信品質の低減を抑制することができる。
【０１５６】
ステップＳ３０７の処理が終了すると処理はステップＳ３０８に進む。ステップＳ３０８において、送信制御部２１８は、発振部２１９および送信部２２０を制御し、送信信号を、ステップＳ３０６またはステップＳ３０７の処理により得られた誤差込み送信周波数に基づく送信周波数で送信させる。発振部２１９は、送信制御部２１８の制御に従って、その送信周波数で発振し、その送信周波数の信号を送信部２２０に供給する。送信部２２０は、送信信号を生成し、送信制御部２１８の制御に従って、その送信信号を、発振部２１９より供給される信号の周波数（送信周波数）で送信する。なお、この送信周波数は、受信側にとって既知の周波数である。したがって、送信部２２０は、GNSS信号の受信品質が十分でない状態であってもより正確な送信周波数で送信信号を送信することができるので、通信品質の低減を抑制することができる。
【０１５７】
なお、送信信号の生成方法は任意である。また、送信信号の内容も任意である。例えば、送信装置１０１の時刻情報や位置情報等が含まれるようにしてもよい。また、送信信号を周波数分割多重化して送信するようにしてもよい。その場合も送信部２２０は、送信制御部２１８の制御に従って送信信号を送信することにより、GNSS信号の受信品質が十分でない状態であってもより正確な送信周波数で送信信号を送信することができ、信号同士が混ざらないようにしながらより多くの信号を多重化することができる。したがって、通信品質の低減を抑制することができる。
【０１５８】
また、送信信号を、チャープ変調を利用して時分割多重化するようにしてもよい。その場合も送信部２２０は、送信制御部２１８の制御に従って送信信号を送信することにより、各信号の帯域幅をより狭くすることができる。したがって、信号同士が混ざらないようにしながらより多くの信号を多重化することができる。したがって、通信品質の低減を抑制することができる。
【０１５９】
ステップＳ３０８の処理が終了すると送信処理が終了される。以上のように各処理を実行することにより、送信装置１０１は、通信品質の低減を抑制することができる。
【０１６０】
＜５．第４の実施の形態＞
＜受信装置の周波数制御＞
高感度受信装置１０２においても、送信装置１０１の場合と同様に、GNSS信号を利用することにより、より正確な周波数制御を行うことができるが、受信したGNSS信号の品質が十分でなく観測した各航法衛星の速度、ドップラ周波数、キャリア周波数等に誤差が含まれる場合、周波数制御の精度が低減し、通信品質が低減するおそれがあった。
【０１６１】
そこで、GNSS信号または発振器の発振周波数に基づいて、送信側から送信された信号の受信を制御するための情報を設定し、その設定された情報に基づいて、信号の受信制御を行い、その受信制御に従って信号を受信するようにする。このようにすることにより、周波数制御の精度の低減を抑制し、通信品質の低減を抑制することができる。
【０１６２】
図１１は、周波数制御をおこなう場合の高感度受信装置１０２の主な構成例を示すブロック図である。図１１に示されるように、この場合、高感度受信装置１０２は、図６の補正判断部３１３の代わりに補正判断部５１３を有し、時計カウンタ３１５、時計部３１６、および受信スケジュール制御部３１７の代わりに発振周波数演算部５１６を有する。
【０１６３】
補正判断部５１３は、受信周波数の制御についての判断に関する処理を行う。補正判断部５１３は、任意の構成により実現することができる。例えば、補正判断部５１３が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、補正判断部５１３が、CPUとメモリを有し、CPUがメモリを用いてプログラムを実行することにより、上述の処理を行うようにしてもよい。
【０１６４】
発振周波数演算部５１６は、補正後の受信周波数（誤差込み受信周波数）の設定に関する処理を行う。発振周波数演算部５１６は、任意の構成により実現することができる。例えば、発振周波数演算部５１６が、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。例えば、発振周波数演算部５１６が、CPUとメモリを有し、CPUがメモリを用いてプログラムを実行することにより、上述の処理を行うようにしてもよい。
【０１６５】
このような構成の高感度受信装置１０２において、発振周波数演算部５１６は、GNSS受信部３１２により受信されたGNSS信号、または、発振器３１４の発振周波数（発振器３１４により生成される信号の周波数）に基づいて、信号の受信を制御するための情報である受信制御用周波数（誤差込み受信周波数とも称する）を設定する。受信制御部３１８は、その受信制御用周波数に基づいて、（送信装置１０１から送信された）信号の受信を制御する。発振部３１９は、その制御に従って、すなわち、指定される受信制御用周波数に基づく受信周波数で発振し、受信部３２０は、その受信周波数で信号を受信する。このようにすることにより、GNSS信号の受信品質が十分でない場合も、周波数制御の精度の低減を抑制することができる。つまり、より正確に所望の周波数（受信周波数）で信号を受信することができる。
【０１６６】
なお、この受信周波数は、送信装置１０１から送信される送信信号の送信周波数に対応する周波数（送信側にとって既知の周波数）である。つまり、このようにすることにより、高感度受信装置１０２は、受信周波数が、送信装置１０１から送信された送信信号を受信するのに好適な周波数からずれることを抑制することができる。
【０１６７】
また、受信する信号に周波数分割多重化やチャープ変調を用いた時分割多重化等が適用される場合、高感度受信装置１０２は、以上のようにすることにより、GNSS信号の受信品質が十分でない状態であっても多重化された各信号の識別精度が低減してしまうのを抑制することができる。つまり、より多くの信号が多重化された信号をより正確に受信することができる。したがって、通信品質の低減を抑制することができる。
【０１６８】
したがって、高感度受信装置１０２は、GNSS信号の受信品質が十分でない場合も、受信感度の低減を抑制することができ、通信品質の低減を抑制することができる。
【０１６９】
発振周波数演算部５１６は、GNSS信号の受信状況に応じてGNSS信号または発振周波数を選択し、選択した方を用いて受信制御用周波数を設定することができる。したがって、GNSS信号の受信品質が十分でない場合も、制御の精度の低減を抑制することができるので、通信品質の低減を抑制することができる。
【０１７０】
発振周波数演算部５１６は、受信されたGNSS信号が所定の基準値より高品質である場合、そのGNSS信号を用いて誤差込み受信周波数を設定し、受信されたGNSS信号がその基準値より低品質である場合、発振周波数を用いて誤差込み受信周波数を設定することができる。より具体的には、受信されたGNSS信号が所定の基準値より高品質である場合、発振周波数演算部５１６は、発振器３１４から供給される信号の周波数（発振周波数）を、今回受信されたGNSS信号から得られる周波数誤差を用いて補正し、それを受信制御用周波数として設定することができる。これに対して、受信されたGNSS信号がその基準値より低品質である場合、発振周波数演算部５１６は、発振器３１４から供給される信号の周波数（発振周波数）を、前回の補正に用いられた補正値を用いて補正し、それを受信制御用周波数として設定することができる。前回の補正値は、GNSS信号が高品質の場合に得られた値であるので、この値を用いることにより、今回の低品質なGNSS信号から得られる補正値を用いる場合よりも正確な受信制御用周波数が得られる。したがって、GNSS信号の受信品質が十分でない場合も、制御の精度の低減を抑制することができるので、通信品質の低減を抑制することができる。
【０１７１】
受信制御部３１８は、発振部３１９を制御して、発振周波数演算部５１６により設定された受信制御用周波数に基づく受信周波数で発振させることができる。そして、受信制御部３１８は、受信部３２０を制御して、その受信周波数で信号を受信させることができる。したがって、より正確な受信周波数で信号を受信することができ、通信品質の低減を抑制することができる。
【０１７２】
また、受信制御部３１８は、受信する信号が周波数分割多重化されている場合や、受信する信号に対してチャープ変調を利用した時分割多重化を適用されている場合も、発振周波数演算部５１６により設定された受信制御用周波数に基づく受信周波数で受信させることにより、多重化された各信号の識別精度が低減してしまうのを抑制することができる。つまり、通信品質の低減を抑制することができる。
【０１７３】
GNSS受信部３１２は、例えば、GNSS信号を受信する。発振周波数演算部５１６は、そのGNSS受信部３１２において受信されたGNSS信号または発振周波数に基づいて受信制御用周波数を設定することができる。また、補正判断部５１３は、例えば、GNSS受信部３１２において受信されたGNSS信号の品質が十分に高品質であるか否かを、基準値設定部３１１により設定された基準値に基づいて判断する。そして、そのGNSS信号が十分に高品質であると判断した場合、補正判断部５１３は、例えば、GNSS受信部３１２において受信されたGNSS信号に基づいて周波数（周波数誤差）を設定する。補正判断部５１３は、このGNSS信号に基づく周波数誤差を発振周波数演算部５１６に供給する。発振周波数演算部５１６は、上述のように、このGNSS信号に基づく周波数誤差から受信制御用周波数を生成することができる。
【０１７４】
＜受信処理の流れ＞
図１２のフローチャートを参照して、この場合の高感度受信装置１０２により実行される受信処理の流れの例を説明する。受信処理が開始されると、ステップＳ４０１乃至ステップＳ４０４の各処理が、図７のステップＳ２０１乃至ステップＳ２０４の各処理と同様に実行される。ただし、ステップＳ４０３およびステップＳ４０４の処理は、補正判断部５１３が行う。ステップＳ４０４において、受信情報の品質が、補正適用判断基準値を超えており、十分に高品質であると判定された場合、処理はステップＳ４０５に進む。
【０１７５】
ステップＳ４０５において、補正判断部５１３は、受信情報を用いてGNSS信号に基づく周波数（周波数誤差）を設定し、その周波数誤差を発振周波数演算部５１６に供給する。この周波数誤差は、上述のように航法衛星の衛星速度等の情報に基づく補正値である。
【０１７６】
ステップＳ４０６において、発振周波数演算部５１６は、発振器３１４において得られる発振周波数を、ステップＳ４０５において設定された周波数誤差で補正し、その補正後の周波数を誤差込み受信周波数として設定する。発振周波数演算部５１６は、その誤差込み受信周波数を受信制御部３１８に供給する。
【０１７７】
受信したGNSS信号が十分に高品質であれば、そのGNSS信号に基づいて得られる周波数誤差も十分に正確である。したがって、発振周波数演算部５１６は、その正確な周波数誤差を用いて発振周波数を補正することにより、より正確な誤差込み受信周波数を設定することができる。したがって、高感度受信装置１０２は、そのより正確な誤差込み受信周波数に基づく受信周波数で信号を受信することにより、通信品質の低減を抑制することができる。
【０１７８】
ステップＳ４０６の処理が終了すると処理はステップＳ４０８に進む。また、ステップＳ４０４において、受信情報の品質が、補正適用判断基準値を超えておらず、十分に高品質ではない（低品質である）と判定された場合、処理はステップＳ４０７に進む。
【０１７９】
ステップＳ４０７において、発振周波数演算部５１６は、発振器３１４の発振周波数を、前回と同じ周波数誤差で補正する。つまり、GNSS信号の受信品質が低品質の場合、その低品質なGNSS信号に頼らず、高品質なGNSS信号に基づく周波数誤差を用いて発振周波数を補正する。したがって、高感度受信装置１０２は、GNSS信号の受信品質が十分でない場合も、補間式の利用などによる時刻情報の正確さの低減を抑制することができ、通信品質の低減を抑制することができる。
【０１８０】
ステップＳ４０７の処理が終了すると処理はステップＳ４０８に進む。ステップＳ４０８において、受信制御部３１８は、発振部３１９および受信部３２０を制御し、ステップＳ４０６またはステップＳ４０７の処理により得られた誤差込み受信周波数に基づく受信周波数で信号を受信させる。発振部３１９は、受信制御部３１８の制御に従って、その受信周波数で発振し、その受信周波数の信号を受信部３２０に供給する。受信部３２０は、受信制御部３１８の制御に従って、発振部３１９より供給される信号の周波数（受信周波数）で信号を受信する（つまり、発振部３１９の発振周波数と同じ周波数で送信される信号を受信する）。
【０１８１】
受信部３２０は、受信制御部３１８の制御に従ってこのように信号を受信することにより、GNSS信号の受信品質が十分でない状態であってもより正確な受信周波数で信号を受信することができる。したがって、通信品質の低減を抑制することができる。
【０１８２】
なお、受信する信号に周波数分割多重化やチャープ変調を用いた時分割多重化等が適用される場合、受信部３２０は、受信制御部３１８の制御に従って信号を受信することにより、GNSS信号の受信品質が十分でない状態であっても多重化された各信号の識別精度が低減してしまうのを抑制することができる。つまり、より多くの信号が多重化された信号をより正確に受信することができる。したがって、通信品質の低減を抑制することができる。
【０１８３】
受信部３２０は、受信信号から送信装置１０１の識別情報や位置情報等を抽出し、それをサーバ１０４に供給する。
【０１８４】
ステップＳ４０８の処理が終了すると受信処理が終了される。以上のように各処理を実行することにより、高感度受信装置１０２は、通信品質の低減を抑制することができる。
【０１８５】
＜６．その他＞
＜送受信制御・時刻周波数制御＞
本技術は、送信装置１０１にのみ適用するようにしてもよいし、高感度受信装置１０２にのみ適用するようにしてもよいし、送信装置１０１と高感度受信装置１０２の両方に適用するようにしてもよい。また、本技術は、送信機能および受信機能を有する送受信装置に適用するようにしてもよい。その場合、本技術を、送信機能にのみ適用するようにしてもよいし、受信機能にのみ適用するようにしてもよいし、送信機能と受信機能の両方に適用するようにしてもよい。
【０１８６】
また、送信装置１０１が信号送信について、時刻制御と周波数制御の両方を行うようにしてもよい。その場合、本技術は、時刻制御にのみ適用するようにしてもよいし、周波数制御にのみ適用するようにしてもよいし、時刻制御と周波数制御の両方に適用するようにしてもよい。また、高感度受信装置１０２が信号受信について、時刻制御と周波数制御の両方を行うようにしてもよい。その場合、本技術は、時刻制御にのみ適用するようにしてもよいし、周波数制御にのみ適用するようにしてもよいし、時刻制御と周波数制御の両方に適用するようにしてもよい。
【０１８７】
＜盗難防止システム＞
以上においては、位置通知システム１００を例に説明したが、本技術は、任意の通信システムに適用することができる。例えば、送信装置１０１は、人物だけでなく、移動体等に設置するようにしてもよい。
【０１８８】
例えば、本技術は、図１３に示されるような自動車やバイク等の盗難を防ぐための盗難防止システム８００に適用することもできる。この盗難防止システム８００の場合、送信装置１０１は、ユーザが位置を監視する対象物、例えばユーザが所有する自動車８０１やバイク８０２に設置される。送信装置１０１は、位置通知システム１００の場合と同様に、自身の位置情報（すなわち、自動車８０１やバイク８０２の位置情報）を、適宜、高感度受信装置１０２に通知する。つまり、ユーザは、位置通知システム１００の場合と同様に、端末装置１０５からサーバ１０４にアクセスして、自動車８０１やバイク８０２の位置を把握することができる。したがって、ユーザは、盗難にあった場合であっても、自動車８０１やバイク８０２の位置を把握することができるので、その自動車８０１やバイク８０２を容易に取り戻すことができる。
【０１８９】
このような盗難防止システム８００の場合も、送信装置１０１や高感度受信装置１０２に対して各実施の形態において上述した本技術を適用することにより、通信品質の低減を抑制することができ、自身の位置情報（すなわち、自動車８０１やバイク８０２の位置情報）を、より正確に高感度受信装置１０２に通知することができる。つまり、ユーザは、盗難にあった場合であっても、自動車８０１やバイク８０２の位置をより容易かつ正確に把握することができる。
【０１９０】
＜その他の通信システム＞
なお、送受信される情報は任意である。例えば送信装置１０１が、画像、音声、測定データ、機器等の識別情報、パラメータの設定情報、または指令等の制御情報等を含む送信情報を送信するようにしてもよい。また、この送信情報には、例えば、画像と音声、識別情報と設定情報と制御情報等のように、複数種類の情報が含まれるようにしてもよい。
【０１９１】
また、送信装置１０１が、例えば、他の装置から供給される情報を含む送信情報を送信することができるようにしてもよい。例えば、送信装置１０１が、画像、光、明度、彩度、電気、音、振動、加速度、速度、角速度、力、温度（温度分布ではない）、湿度、距離、面積、体積、形状、流量、時刻、時間、磁気、化学物質、または匂い等、任意の変数について、またはその変化量について、検出または計測等を行う各種センサから出力される情報（センサ出力）を含む送信情報を生成し、送信するようにしてもよい。
【０１９２】
つまり、本技術は、例えば、立体形状計測、空間計測、物体観測、移動変形観測、生体観測、認証処理、監視、オートフォーカス、撮像制御、照明制御、追尾処理、入出力制御、電子機器制御、アクチュエータ制御等、任意の用途に用いられるシステムに適用することができる。
【０１９３】
また、本技術は、例えば、交通、医療、防犯、農業、畜産業、鉱業、美容、工場、家電、気象、自然監視等、任意の分野のシステムに適用することができる。例えば、本技術は、ディジタルカメラや、カメラ機能付きの携帯機器等を用いる、鑑賞の用に供される画像を撮影するシステムにも適用することができる。また、例えば、本技術は、自動停止等の安全運転や、運転者の状態の認識等のために、自動車の前方や後方、周囲、車内等を撮影する車載用システム、走行車両や道路を監視する監視カメラシステム、車両間等の測距を行う測距システム等の、交通の用に供されるシステムにも適用することができる。さらに、例えば、本技術は、防犯用途の監視カメラや、人物認証用途のカメラ等を用いる、セキュリティの用に供されるシステムにも適用することができる。また、例えば、本技術は、ウェアラブルカメラ等のようなスポーツ用途等向けに利用可能な各種センサ等を用いる、スポーツの用に供されるシステムにも適用することができる。さらに、例えば、本技術は、畑や作物の状態を監視するためのカメラ等の各種センサを用いる、農業の用に供されるシステムにも適用することができる。また、例えば、本技術は、豚や牛等の家畜の状態を監視するための各種センサを用いる、畜産業の用に供されるシステムにも適用することができる。さらに、本技術は、例えば火山、森林、海洋等の自然の状態を監視するシステムや、例えば天気、気温、湿度、風速、日照時間等を観測する気象観測システムや、例えば鳥類、魚類、ハ虫類、両生類、哺乳類、昆虫、植物等の野生生物の生態を観測するシステム等にも適用することができる。
【０１９４】
＜通信装置＞
さらに、送受信される無線信号や情報の仕様は任意である。また、以上においては、本技術を送信装置１０１や高感度受信装置１０２に適用する例を説明したが、本技術は、任意の送信装置、任意の受信装置、任意の送受信装置にも適用することができる。つまり、本技術は、任意の通信装置や通信システムに適用することができる。
【０１９５】
＜コンピュータ＞
上述した一連の処理は、ハードウエアにより実行させることもできるし、ソフトウエアにより実行させることもできる。また、一部の処理をハードウエアにより実行させ、他の処理をソフトウエアにより実行させることもできる。一連の処理をソフトウエアにより実行する場合には、そのソフトウエアを構成するプログラムが、コンピュータにインストールされる。ここでコンピュータには、専用のハードウエアに組み込まれているコンピュータや、各種のプログラムをインストールすることで、各種の機能を実行することが可能な、例えば汎用のパーソナルコンピュータ等が含まれる。
【０１９６】
図１４は、上述した一連の処理をプログラムにより実行するコンピュータのハードウエアの構成例を示すブロック図である。
【０１９７】
図１４に示されるコンピュータ９００において、CPU（Central Processing Unit）９０１、ROM（Read Only Memory）９０２、RAM（Random Access Memory）９０３は、バス９０４を介して相互に接続されている。
【０１９８】
バス９０４にはまた、入出力インタフェース９１０も接続されている。入出力インタフェース９１０には、入力部９１１、出力部９１２、記憶部９１３、通信部９１４、およびドライブ９１５が接続されている。
【０１９９】
入力部９１１は、例えば、キーボード、マウス、マイクロホン、タッチパネル、入力端子などよりなる。出力部９１２は、例えば、ディスプレイ、スピーカ、出力端子などよりなる。記憶部９１３は、例えば、ハードディスク、RAMディスク、不揮発性のメモリなどよりなる。通信部９１４は、例えば、ネットワークインタフェースよりなる。ドライブ９１５は、磁気ディスク、光ディスク、光磁気ディスク、または半導体メモリなどのリムーバブルメディア９２１を駆動する。
【０２００】
以上のように構成されるコンピュータでは、CPU９０１が、例えば、記憶部９１３に記憶されているプログラムを、入出力インタフェース９１０およびバス９０４を介して、RAM９０３にロードして実行することにより、上述した一連の処理が行われる。RAM９０３にはまた、CPU９０１が各種の処理を実行する上において必要なデータなども適宜記憶される。
【０２０１】
コンピュータ（CPU９０１）が実行するプログラムは、例えば、パッケージメディア等としてのリムーバブルメディア９２１に記録して適用することができる。その場合、プログラムは、リムーバブルメディア９２１をドライブ９１５に装着することにより、入出力インタフェース９１０を介して、記憶部９１３にインストールすることができる。また、このプログラムは、ローカルエリアネットワーク、インターネット、デジタル衛星放送といった、有線または無線の伝送媒体を介して提供することもできる。その場合、プログラムは、通信部９１４で受信し、記憶部９１３にインストールすることができる。その他、このプログラムは、ROM９０２や記憶部９１３に、あらかじめインストールしておくこともできる。
【０２０２】
＜補足＞
本技術の実施の形態は、上述した実施の形態に限定されるものではなく、本技術の要旨を逸脱しない範囲において種々の変更が可能である。
【０２０３】
例えば、本技術は、装置またはシステムを構成するあらゆる構成、例えば、システムLSI（Large Scale Integration）等としてのプロセッサ、複数のプロセッサ等を用いるモジュール、複数のモジュール等を用いるユニット、ユニットにさらにその他の機能を付加したセット等（すなわち、装置の一部の構成）として実施することもできる。
【０２０４】
なお、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２０５】
また、例えば、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０２０６】
また、例えば、本技術は、１つの機能を、ネットワークを介して複数の装置で分担、共同して処理するクラウドコンピューティングの構成をとることができる。
【０２０７】
また、例えば、上述したプログラムは、任意の装置において実行することができる。その場合、その装置が、必要な機能（機能ブロック等）を有し、必要な情報を得ることができるようにすればよい。
【０２０８】
また、例えば、上述のフローチャートで説明した各ステップは、１つの装置で実行する他、複数の装置で分担して実行することができる。さらに、１つのステップに複数の処理が含まれる場合には、その１つのステップに含まれる複数の処理は、１つの装置で実行する他、複数の装置で分担して実行することができる。換言するに、１つのステップに含まれる複数の処理を、複数のステップの処理として実行することもできる。逆に、複数のステップとして説明した処理を１つのステップとしてまとめて実行することもできる。
【０２０９】
コンピュータが実行するプログラムは、プログラムを記述するステップの処理が、本明細書で説明する順序に沿って時系列に実行されるようにしても良いし、並列に、あるいは呼び出しが行われたとき等の必要なタイミングで個別に実行されるようにしても良い。つまり、矛盾が生じない限り、各ステップの処理が上述した順序と異なる順序で実行されるようにしてもよい。さらに、このプログラムを記述するステップの処理が、他のプログラムの処理と並列に実行されるようにしても良いし、他のプログラムの処理と組み合わせて実行されるようにしても良い。
【０２１０】
本明細書において複数説明した本技術は、矛盾が生じない限り、それぞれ独立に単体で実施することができる。もちろん、任意の複数の本技術を併用して実施することもできる。例えば、いずれかの実施の形態において説明した本技術の一部または全部を、他の実施の形態において説明した本技術の一部または全部と組み合わせて実施することもできる。また、上述した任意の本技術の一部または全部を、上述していない他の技術と併用して実施することもできる。
【０２１１】
本技術は以下のような構成も取ることができる。
（１）  GNSS信号または発振器の発振周波数に基づいて、送信信号の送信を制御するための情報を設定する設定部と、
前記設定部により設定された前記情報に基づいて、前記送信信号の送信を制御する送信制御部と、
前記送信制御部の制御に従って前記送信信号を送信する送信部と
を備える送信装置。
（２）  前記設定部は、前記GNSS信号の受信状況に応じて前記GNSS信号または前記発振周波数を選択し、選択した方を用いて前記情報を設定する
（１）に記載の送信装置。
（３）  前記設定部は、
受信された前記GNSS信号が所定の基準値より高品質である場合、前記GNSS信号を用いて前記情報を設定し、
受信された前記GNSS信号が前記基準値より低品質である場合、前記発振周波数を用いて前記情報を設定する
（２）に記載の送信装置。
（４）  前記情報は、時刻情報を含み、
前記設定部は、
受信された前記GNSS信号が所定の基準値より高品質である場合、前記GNSS信号から得られる時刻を前記時刻情報として設定し、
受信された前記GNSS信号が前記基準値より低品質である場合、前記発振周波数に同期したタイミングでカウントして得られる時刻を前記時刻情報として設定するように構成される
（３）に記載の送信装置。
（５）  前記送信制御部は、前記送信部を制御して、前記設定部により設定された前記時刻情報に基づいて、前記送信信号を予め定められた受信側に既知の送信タイミングに送信させる
（４）に記載の送信装置。
（６）  前記設定部は、受信された前記GNSS信号が所定の基準値より高品質である場合、前記GNSS信号から得られる時刻を用いて、前記発振周波数に同期したタイミングでカウントして得られる前記時刻を補正する
（４）または（５）に記載の送信装置。
（７）  前記情報は、送信制御用周波数を含み、
前記設定部は、
受信された前記GNSS信号が所定の基準値より高品質である場合、前記発振周波数を、今回受信した前記GNSS信号から得られる周波数を用いて補正し、補正後の前記発振周波数を前記送信制御用周波数として設定し、
受信された前記GNSS信号が前記基準値より低品質である場合、前記発振周波数を、前回の補正値で補正し、補正後の前記発振周波数を前記送信制御用周波数として設定するように構成される
（３）乃至（６）のいずれかに記載の送信装置。
（８）  前記送信制御部は、前記送信部を制御して、前記設定部により設定された前記送信制御用周波数に基づく送信周波数で前記送信信号を送信させる
（７）に記載の送信装置。
（９）  前記GNSS信号を受信するGNSS受信部をさらに備え、
前記設定部は、前記GNSS受信部により受信された前記GNSS信号または前記発振周波数に基づいて前記情報を設定するように構成される
（１）乃至（８）のいずれかに記載の送信装置。
（１０）  GNSS信号または発振器の発振周波数に基づいて、送信信号の送信を制御するための情報を設定し、
設定された前記情報に基づいて、前記送信信号の送信制御を行い、
前記送信制御に従って前記送信信号を送信する
送信方法。
（１１）  GNSS信号または発振器の発振周波数に基づいて、送信側から送信された信号の受信を制御するための情報を設定する設定部と、
前記設定部により設定された前記情報に基づいて、前記信号の受信を制御する受信制御部と、
前記受信制御部の制御に従って前記信号を受信する受信部と
を備える受信装置。
（１２）  前記設定部は、前記GNSS信号の受信状況に応じて前記GNSS信号または前記発振周波数を選択し、選択した方を用いて前記情報を設定する
（１１）に記載の受信装置。
（１３）  前記設定部は、
受信された前記GNSS信号が所定の基準値より高品質である場合、前記GNSS信号を用いて前記情報を設定し、
受信された前記GNSS信号が前記基準値より低品質である場合、前記発振周波数を用いて前記情報を設定する
（１２）に記載の受信装置。
（１４）  前記情報は、時刻情報を含み、
前記設定部は、
受信された前記GNSS信号が所定の基準値より高品質である場合、前記GNSS信号から得られる時刻を前記時刻情報として設定し、
受信された前記GNSS信号が前記基準値より低品質である場合、前記発振周波数に同期したタイミングでカウントして得られる時刻を前記時刻情報として設定するように構成される
（１３）に記載の受信装置。
（１５）  前記受信制御部は、前記受信部を制御して、前記設定部により設定された前記時刻情報に基づいて、前記信号を予め定められた送信側に既知の受信タイミングに受信させる
（１４）に記載の受信装置。
（１６）  前記設定部は、受信された前記GNSS信号が所定の基準値より高品質である場合、前記GNSS信号から得られる時刻を用いて、前記発振周波数に同期したタイミングでカウントして得られる前記時刻を補正する
（１４）または（１５）に記載の受信装置。
（１７）  前記情報は、受信制御用周波数を含み、
前記設定部は、
受信された前記GNSS信号が所定の基準値より高品質である場合、前記発振周波数を、今回受信した前記GNSS信号から得られる周波数を用いて補正し、補正後の前記発振周波数を前記受信制御用周波数として設定し、
受信された前記GNSS信号が前記基準値より低品質である場合、前記発振周波数を、前回の補正値で補正し、補正後の前記発振周波数を前記受信制御用周波数として設定するように構成される
（１３）乃至（１６）のいずれかに記載の受信装置。
（１８）  前記受信制御部は、前記受信部を制御して、前記設定部により設定された前記受信制御用周波数に基づく受信周波数で前記信号を受信させる
（１７）に記載の受信装置。
（１９）  前記GNSS信号を受信するGNSS受信部をさらに備え、
前記設定部は、前記GNSS受信部により受信された前記GNSS信号または前記発振周波数に基づいて前記情報を設定するように構成される
（１１）乃至（１８）のいずれかに記載の受信装置。
（２０）  GNSS信号または発振器の発振周波数に基づいて、送信側から送信された信号の受信を制御するための情報を設定し、
設定された前記情報に基づいて、前記信号の受信制御を行い、
前記受信制御に従って前記信号を受信する
受信方法。
【符号の説明】
【０２１２】
１００  位置通知システム，  １０１  送信装置，  １０２  高感度受信装置，  １０３  ネットワーク，  １０４  サーバ，  １１１  高齢者，  ２１１  基準値設定部，  ２１２  GNSS受信部，  ２１３  補正判断部，  ２１４  発振器，  ２１５  時計カウンタ，  ２１６  時計部，  ２１７  送信スケジュール制御部，  ２１８  送信制御部，  ２１９  発振部，  ２２０  送信部，  ３１１  基準値設定部，  ３１２  GNSS受信部，  ３１３  補正判断部，  ３１４  発振器，  ３１５  時計カウンタ，  ３１６  時計部，  ３１７  受信スケジュール制御部，  ３１８  受信制御部，  ３１９  発振部，  ３２０  受信部，  ４１３  補正判断部，  ４１６  発振周波数演算部，  ５１３  補正判断部，  ５１６  発振周波数演算部，  ８００  盗難防止システム
【図１】
2018173795.tif 000003
【図２】
2018173795.tif 000004
【図３】
2018173795.tif 000005
【図４】
2018173795.tif 000006
【図５】
2018173795.tif 000007
【図６】
2018173795.tif 000008
【図７】
2018173795.tif 000009
【図８】
2018173795.tif 000010
【図９】
2018173795.tif 000011
【図１０】
2018173795.tif 000012
【図１１】
2018173795.tif 000013
【図１２】
2018173795.tif 000014
【図１３】
2018173795.tif 000015
【図１４】
2018173795.tif 000016
【国際調査報告】
2018173795.tif 000017
2018173795.tif 000018
2018173795.tif 000019
2018173795.tif 000020